(57)【要約】  １つまたは複数の低電力／低機能ワイヤレス・タグの動作が、システムにおいて確立され、その後、外部局が、このシステムに導入される。ワイヤレス・タグと外部局との間で通信が確立され、外部局はワイヤレス・タグから送信されるアドバタイズされる情報をダイレクトに受信する。動作のさまざまなモードは、（１）外部ＳＴＡが、ワイヤレス・アクセスポイント（ＡＰ）に関連付けられたパッシブ・ワイヤレス・タグを含むシステムに導入されること、（２）外部ＳＴＡが、ワイヤレスＡＰに関連付けられたアクティブ・ワイヤレス・タグを含むシステムに導入されること、（３）外部ＳＴＡが、ワイヤレスＡＰに関連付けられていないパッシブ・ワイヤレス・タグを含むシステムに導入されること、および、（４）外部ＳＴＡが、ワイヤレスＡＰに関連付けられていないアクティブ・ワイヤレス・タグを含むシステムに導入されること、を含む。
2016517660.tif 000002
【特許請求の範囲】
【請求項１】
ワイヤレス通信システムにおいて動作する方法であって、前記システムは１つまたは複数のワイヤレス・タグを含み、前記方法は、
前記１つまたは複数のワイヤレス・タグのうちの１つのタグによって、ワイヤレス・アクセスポイントからの通信を受信することと、
前記タグによって、前記ワイヤレス通信システムに対して外部にある局にダイレクトに、前記タグに関するアドバタイズされる情報を送信することと、
を備える方法。
【請求項２】
前記通信はビーコンを備え、前記アドバタイズされる情報は、前記ビーコンに応答して送信される、請求項１に記載の方法。
【請求項３】
前記ビーコンは、前記ビーコン内の前記タグを識別する、請求項２に記載の方法。
【請求項４】
前記ビーコンに応答して省電力ポール（ＰＳ−Ｐｏｌｌ）を送信することをさらに備える、請求項２に記載の方法。
【請求項５】
前記アドバタイズされる情報を送信することは、前記アドバタイズされる情報を前記ＰＳ−Ｐｏｌｌ内に含めることを備える、請求項４に記載の方法。
【請求項６】
前記ＰＳ−Ｐｏｌｌに応答して、前記ワイヤレス・アクセスポイントから、アクノレッジ信号を受信することと、
前記アクノレッジ信号に応答して、アクティブ状態を維持することと、
前記アクティブ状態の間、前記局からのプローブ要求を受信することとをさらに備え、
前記アドバタイズされる情報を送信することは、前記プローブ要求に応答して、前記アドバタイズされる情報を送信することを備える、請求項４に記載の方法。
【請求項７】
前記ＰＳ−Ｐｏｌｌの送信に続いてアクティブ状態を維持することと、
前記アクティブ状態の間、前記局からプローブ要求を受信することとをさらに備え、
前記アドバタイズされる情報を送信することは、前記プローブ要求に応答して、前記アドバタイズされる情報を送信することを備える、請求項４に記載の方法。
【請求項８】
前記通信は、デリバリー・トラフィック・インジケーション・マップ（ＤＴＩＭ）ビーコンを備える、請求項１に記載の方法。
【請求項９】
前記ＤＴＩＭビーコンに応答してアクティブ状態を維持することと、
前記アクティブ状態の間、前記局から要求を受信することとをさらに備え、
前記アドバタイズされる情報を送信することは、前記要求に応答して、前記アドバタイズされる情報を送信することを備える、請求項８に記載の方法。
【請求項１０】
前記通信は、前記ワイヤレス・アクセスポイントを用いてウェイクアップ・スケジュールを確立する、請求項１に記載の方法。
【請求項１１】
前記ウェイクアップ・スケジュールから導出される時間において、前記局から要求を受信することをさらに備え、
前記アドバタイズされる情報を送信することは、前記要求に応答して、前記アドバタイズされる情報を送信することを備える、請求項１０に記載の方法。
【請求項１２】
前記通信は、ウェイクアップ時間を指定するウェイクアップ要求を備える、請求項１に記載の方法。
【請求項１３】
前記指定されたウェイクアップ時間においてアクティブ状態に切り換えることと、
前記アクティブ状態の間、前記局からの要求を受信することとをさらに備え、
前記アドバタイズされる情報を送信することは、前記要求に応答して、前記アドバタイズされる情報を送信することを備える、請求項１２に記載の方法。
【請求項１４】
前記アドバタイズされる情報を送信することは、前記アドバタイズされる情報を、前記指定されたウェイクアップ時間において送信することを備える、請求項１２に記載の方法。
【請求項１５】
ワイヤレス・タグであって、
プロセッサと、
前記プロセッサと電子通信するメモリとを備え、前記メモリは命令を組み込んでおり、前記命令は、
ワイヤレス通信システムにおいてワイヤレス・アクセスポイントから通信を受信することと、ここで、前記ワイヤレス通信システムは、前記ワイヤレス・タグおよび前記ワイヤレス・アクセスポイントを備える、
前記ワイヤレス通信システムに対して外部にある局にダイレクトに、前記ワイヤレス・タグに関するアドバタイズされる情報を送信することと、
を行うように前記プロセッサによって実行可能である、ワイヤレス・タグ。
【請求項１６】
前記通信はビーコンを備え、前記アドバタイズされる情報は、前記ビーコンに応答して送信される、請求項１５に記載のデバイス。
【請求項１７】
前記ビーコンは、前記ビーコン内の前記ワイヤレス・タグを識別する、請求項１６に記載のデバイス。
【請求項１８】
前記命令は、前記ビーコンに応答して省電力ポール（ＰＳ−Ｐｏｌｌ）を送信するように前記プロセッサによって実行可能である、請求項１６に記載のデバイス。
【請求項１９】
前記アドバタイズされる情報を送信するように実行可能な命令は、前記アドバタイズされる情報を前記ＰＳ−Ｐｏｌｌ内に含めるように前記プロセッサによって実行可能な命令を備える、請求項１８に記載のデバイス。
【請求項２０】
装置であって、
１つまたは複数のワイヤレス・タグのうちの１つのタグにおいて、ワイヤレス通信システム内のワイヤレス・アクセスポイントからの通信を受信する手段と、ここで、前記ワイヤレス通信システムは、前記１つまたは複数のワイヤレス・タグおよび前記ワイヤレス・アクセスポイントを備える、
前記ワイヤレス通信システムに対して外部にある局にダイレクトに、前記タグに関するアドバタイズされる情報を、前記タグから送信する手段と、
を備える装置。
【請求項２１】
前記通信はビーコンを備え、前記アドバタイズされる情報は、前記ビーコンに応答して送信される、請求項２０に記載の装置。
【請求項２２】
前記ビーコンは、前記ビーコン内の前記タグを識別する、請求項２１に記載の装置。
【請求項２３】
前記ビーコンに応答して省電力ポール（ＰＳ−Ｐｏｌｌ）を送信する手段をさらに備える、請求項２１に記載の装置。
【請求項２４】
前記アドバタイズされる情報を送信する前記手段は、前記ＰＳ−Ｐｏｌｌに、前記アドバタイズされる情報を含める手段を備える、請求項２３に記載の装置。
【請求項２５】
アクセスポイントであって、
プロセッサと、
前記プロセッサと電子通信するメモリとを備え、前記メモリは命令を組み込んでおり、前記命令は、
ワイヤレス通信システムに対して外部にある局から通信を受信することと、ここで、前記ワイヤレス通信システムは、１つまたは複数のワイヤレス・タグおよび前記アクセスポイントを備える、
前記少なくとも１つのワイヤレス・タグに関するアドバタイズされる情報を前記局にダイレクトに送信するように前記少なくとも１つのワイヤレス・タグをトリガするために、前記１つまたは複数のワイヤレス・タグのうちの少なくとも１つのワイヤレス・タグに通信を送信することと、
を行うように前記プロセッサによって実行可能である、アクセスポイント。
【請求項２６】
前記少なくとも１つのワイヤレス・タグは、受信された要求に応答してのみ、前記アドバタイズされる情報を送信する、請求項２５に記載のアクセスポイント。
【請求項２７】
前記少なくとも１つのワイヤレス・タグへの通信は、ビーコンを備え、前記少なくとも１つのワイヤレス・タグは、前記ビーコンに応答して、前記アドバタイズされる情報を送信する、請求項２６に記載のアクセスポイント。
【請求項２８】
前記少なくとも１つのワイヤレス・タグからの前記アドバタイズされる情報は、前記少なくとも１つのワイヤレス・タグによって送信される省電力ポール（ＰＳ−Ｐｏｌｌ）に含められる、請求項２７に記載のアクセスポイント。
【請求項２９】
前記局からの通信は、前記少なくとも１つのワイヤレス・タグを識別し、
前記ビーコンは、前記局からの通信に応答して、前記ビーコン内の少なくとも１つのワイヤレス・タグを識別する、請求項２７に記載のアクセスポイント。
【請求項３０】
前記命令は、
前記少なくとも１つのワイヤレス・タグにビーコンを送信することと、
前記ビーコンを送信した後に、前記少なくとも１つのワイヤレス・タグから省電力Ｐｏｌｌ（ＰＳ−Ｐｏｌｌ）を受信することと、
前記ＰＳ−Ｐｏｌｌに応答してアクノレッジ信号を送信することと、ここで、前記局は、前記アクノレッジ信号に応答して前記少なくとも１つのワイヤレス・タグに要求を送信し、前記少なくとも１つのワイヤレス・タグは、前記要求に応答して、前記アドバタイズされる情報を送信する、
を行うように前記プロセッサによって実行可能である、請求項２６に記載のアクセスポイント。
【請求項３１】
装置であって、
ワイヤレス通信システムに対して外部にある局からの通信を受信する手段と、ここで、前記ワイヤレス通信システムは、１つまたは複数のワイヤレス・タグおよびアクセスポイントを備える、
少なくとも１つのワイヤレス・タグに関するアドバタイズされる情報を前記局にダイレクトに送信するように前記少なくとも１つのワイヤレス・タグをトリガするために、前記１つまたは複数のワイヤレス・タグのうちの少なくとも１つのワイヤレス・タグに通信を送信する手段と、
を備える装置。
【請求項３２】
前記少なくとも１つのワイヤレス・タグは、受信された要求に応答してのみ、前記アドバタイズされる情報を送信する、請求項３１に記載の装置。
【請求項３３】
前記少なくとも１つのワイヤレス・タグへの通信は、ビーコンを備え、前記少なくとも１つのワイヤレス・タグは、前記ビーコンに応答して、前記アドバタイズされる情報を送信する、請求項３２に記載の装置。
【請求項３４】
前記少なくとも１つのワイヤレス・タグからの前記アドバタイズされる情報は、前記少なくとも１つのワイヤレス・タグによって送信される省電力ポール（ＰＳ−Ｐｏｌｌ）内に含められる、請求項３３に記載の装置。
【請求項３５】
前記局からの前記通信は、前記少なくとも１つのワイヤレス・タグを識別し、
前記ビーコンは、前記局からの前記通信に応答して、前記ビーコン内の前記少なくとも１つのワイヤレス・タグを識別する、請求項３３に記載の装置。
【発明の詳細な説明】
【技術分野】
【０００１】
相互参照  
[0001]本特許出願は、２０１３年９月２５日に出願されたＭｅｒｌｉｎらによる「支援されたエネルギー効率の良いピアツーピア（Ｐ２Ｐ）通信（Assisted Energy Efficient Peer-To-Peer (P2P) Communications）」と題された米国特許出願第１４／０３６，０１０号と、２０１３年３月１４日に出願されたＭｅｒｌｉｎらによる「支援されたエネルギー効率の良いピアツーピア（Ｐ２Ｐ）通信（Assisted Energy Efficient Peer-To-Peer (P2P) Communications）」と題された米国仮特許出願第６１／７８５，２２１号との優先権の利益を主張する。これらの各々は、本願の譲受人に譲渡されている。
【０００２】
[0002]本開示は、１つまたは複数のワイヤレス・タグを含むワイヤレス通信システムへの外部ワイヤレス局の導入に関する。
【背景技術】
【０００３】
[0003]ワイヤレス・タグは、本明細書では、低電力デバイス（通常は、バッテリ駆動される）であり、最小限の機能を有している、小型のワイヤレス局（ＳＴＡ）として定義される。いくつかのワイヤレス・タグは、位置または温度のような特定の情報をオンデマンドでアドバタイズ（advertise）することが意図されている。その他のいくつかのワイヤレス・タグは、情報を受信することに応答して、（例えば、ワイヤレス・タグに関連付けられたアクチュエータを用いて）ドアを開けること、または受信した情報をログすること、のような動作を実行することが意図されている。ワイヤレス・タグは、機能、ベンダ、またはロケーションのような、ワイヤレス・タグの共有される特性に基づいて、グループに属し得る。ワイヤレス・タグの前述された性質に基づいて、多くのワイヤレス・タグを単一の部屋（または、その他の小さなエリア）内に存在させることが可能である。
【０００４】
[0004]ワイヤレス・タグは、ワイヤレス・アクセスポイント（ＡＰ）に関連付けられることができ、または、どのワイヤレスＡＰにも関連付けられないことが可能である。ワイヤレス・タグは、通常、スリープ状態にあり、これによって、電力を節約する。ワイヤレス・タグは、アドバタイズされる情報を送信するためにワイヤレス・タグが定期的にウェイクアップする、アクティブ・デバイスであり得る。あるいは、ワイヤレス・タグは、アドバタイズされる情報を送信する前にワイヤレス・タグが外部要求を受信することを待つ、パッシブ・デバイスであり得る。
【０００５】
[0005]新たな外部局（ＳＴＡ）が１つまたは複数のワイヤレス・タグを含む部屋またはエリアに入ることを可能にし、ここで、新たな外部ＳＴＡは、ワイヤレス・タグとダイレクトに通信することによって、１つまたは複数のワイヤレス・タグから、アドバタイズされる情報を収集すること、および／または１つまたは複数のワイヤレス・タグにおける動作をトリガすることを可能とされ、これによって、ワイヤレス・システム内の電力消費を最小限に抑える方法を有することが望ましい。
【発明の概要】
【０００６】
[0006]したがって、本開示は、新たな外部ＳＴＡが、確立されたワイヤレス・システムにおいて１つまたは複数のワイヤレス・タグとダイレクトに通信することを可能にする方法を提供する。
【０００７】
[0007]一般に、本開示は、ワイヤレス通信システムにおいて１つまたは複数のワイヤレス・タグの動作を確立し、その後、新たな外部ＳＴＡをこのシステムに導入する。外部ＳＴＡは、１つまたは複数のワイヤレス・タグとの通信を確立し、ここで、外部局は、１つまたは複数のワイヤレス・タグによって送信された、アドバタイズされる情報を、ダイレクトに受信する。
【０００８】
[0008]本開示の第１の実施形態（Ｍｏｄｅ＿１）によれば、外部局をワイヤレス通信システムに導入する前に、１つまたは複数のワイヤレス・タグの各々が、ワイヤレス・アクセスポイント（ＡＰ）に関連付けられ、ワイヤレス・タグの各々は、受信された要求に応答して、アドバタイズされる情報を送信するだけのパッシブ・デバイスである。
【０００９】
[0009]第１の実施形態の第１のバリエーション（Ｍｏｄｅ＿１Ａ）によれば、ワイヤレスＡＰは、パッシブ・ワイヤレス・タグにビーコンを送信し、パッシブ・ワイヤレス・タグは、受信されたビーコンに応答して、アドバタイズされる情報を送信する。この実施形態では、アドバタイズされる情報は、受信されたビーコンに応答してパッシブ・ワイヤレス・タグによって送信されたＰＳ−ｐｏｌｌフレームに含められ得る。
【００１０】
[0010]第１の実施形態の第１のバリエーションによれば、外部局は、ワイヤレスＡＰに要求を送信し得、ワイヤレスＡＰは、少なくとも部分的に、この要求に応答して、ビーコンを送信する。
【００１１】
[0011]第１の実施形態の第１のバリエーションによれば、ワイヤレスＡＰは、パッシブ・ワイヤレス・タグにビーコンを送信し得る。これに応答して、パッシブ・ワイヤレス・タグは、ワイヤレスＡＰにＰＳ−Ｐｏｌｌフレームを送信する。ワイヤレスＡＰは、ＰＳ−Ｐｏｌｌフレームに応答して、アクノレッジ信号を送信し、ここで、パッシブ・ワイヤレス・タグは、アクノレッジ信号に応答してアウェイク状態にとどまる。外部局は、アクノレッジ信号に応答して、アウェイクしているパッシブ・ワイヤレス・タグに要求を送信し、アウェイクしているパッシブ・ワイヤレス・タグは、受信された要求に応答して、アドバタイズされる情報を送信する。
【００１２】
[0012]第１の実施形態の第１のバリエーションによれば、ワイヤレスＡＰは、パッシブ・ワイヤレス・タグにビーコンを送信し、これに応答して、パッシブ・ワイヤレス・タグのうちの１つまたは複数は、ＰＳ−Ｐｏｌｌフレームを送信し得る。次いで、外部局は、ＰＳ−Ｐｏｌｌフレームに応答して、パッシブ・ワイヤレス・タグに要求を送信し得、パッシブ・ワイヤレス・タグは、受信された要求に応答して、アドバタイズされる情報を送信する。
【００１３】
[0013]第１の実施形態の第２のバリエーション（Ｍｏｄｅ＿１Ｂ）によれば、ワイヤレスＡＰは、１つまたは複数のパッシブ・ワイヤレス・タグを指定するデリバリー・トラフィック・インジケーション・メッセージ（ＤＴＩＭ：delivery traffic indication message）を送信し得る。外部局は、指定された１つまたは複数のパッシブ・ワイヤレス・タグに要求を送信し、その間、これらのタグは、ＤＴＩＭを受信することに応答してアウェイク状態にある。指定された１つまたは複数のパッシブ・ワイヤレス・タグは、次いで、要求に応答して、アドバタイズされる情報を外部局に送信する。この実施形態の１つの態様によれば、ワイヤレスＡＰは、外部局から受信された要求に応答してＤＴＩＭを生成し得る。この実施形態の別の態様によれば、外部局は、ワイヤレスＡＰからトリガを受信することに応答して、要求を送信し得る。
【００１４】
[0014]第１の実施形態の第３のバリエーション（Ｍｏｄｅ＿１Ｃ）によれば、ワイヤレスＡＰは、パッシブ・ワイヤレス・タグのためのダウンリンク・ウェイクアップ・スケジュールを維持し得る。ワイヤレスＡＰは、ウェイクアップ・スケジュールを外部局に送信し、外部局は、ウェイクアップ・スケジュールによって識別された時間に、パッシブ・ワイヤレス・タグに要求を送信する。パッシブ・ワイヤレス・タグは、受信された要求に応答して、アドバタイズされる情報を外部局に送信する。
【００１５】
[0015]第１の実施形態の第４のバリエーション（Ｍｏｄｅ＿１Ｄ）によれば、外部局は、ワイヤレスＡＰに第１のウェイクアップ要求を送信し得、第１のウェイクアップ要求は、ウェイクアップ時間を指定する。これに応答して、ワイヤレスＡＰは、１つまたは複数のパッシブ・ワイヤレス・タグに第２のウェイクアップ要求を送信し、第２のウェイクアップ要求は、ウェイクアップ時間を指定する。これに応答して、１つまたは複数のパッシブ・ワイヤレス・タグは、指定されたウェイクアップ時間にウェイクアップする。外部局は、ウェイクアップ時間において１つまたは複数のパッシブ・ワイヤレス・タグに要求を送信し、これに応答して、１つまたは複数のパッシブ・ワイヤレス・タグは、アドバタイズされる情報を外部局に送信する。
【００１６】
[0016]第１の実施形態の第５のバリエーション（Ｍｏｄｅ＿１Ｅ）によれば、ワイヤレスＡＰは、１つまたは複数のパッシブ・ワイヤレス・タグのためのダウンリンク・ウェイクアップ・スケジュールを維持する。外部局は、ウェイクアップ・スケジュールから導出されない時間において、１つまたは複数のパッシブ・ワイヤレス・タグに要求を送信する。ワイヤレスＡＰは、外部局が、１つまたは複数のパッシブ・ワイヤレス・タグから送信された要求に対する応答を受信するかどうかを決定する。送信された要求に対する応答を外部局が受信しなかったとワイヤレスＡＰが決定した場合、ワイヤレスＡＰは、ワイヤレスＡＰにウェイクアップ・スケジュールを送信する。外部局は、その後、１つまたは複数のパッシブ・ワイヤレス・タグに将来の要求を送信する時間を決定するために、ウェイクアップ・スケジュールを使用し得る。
【００１７】
[0017]本開示の第２の実施形態（Ｍｏｄｅ＿２）によれば、１つまたは複数のワイヤレス・タグの各々は、ワイヤレス通信システムに外部局を導入する前にワイヤレス・アクセスポイント（ＡＰ）に関連付けられ、ワイヤレス・タグの各々は、アドバタイズされる情報を送信するために定期的にウェイクアップするアクティブ・デバイスである。
【００１８】
[0018]第２の実施形態の１つのバリエーションによれば、１つまたは複数のアクティブ・ワイヤレス・タグの各々は、ワイヤレスＡＰによって定期的に送信されたビーコンに応答して、アドバタイズされる情報を送信する。このバリエーションでは、外部局は、ビーコンに応答して、１つまたは複数のアクティブ・ワイヤレス・タグから送信された、アドバタイズされる情報を受信する。
【００１９】
[0019]第２の実施形態の別のバリエーションでは、１つまたは複数のワイヤレス・タグの各々は、ワイヤレスＡＰとネゴシエートされた時間に、アドバタイズされる情報を送信する。ワイヤレスＡＰは、これらネゴシエートされた時間を、外部局と共有する。その後、外部局は、１つまたは複数のアクティブ・ワイヤレス・タグによって送信されたアドバタイズされる情報を受信するために、これらネゴシエートされた時間においてウェイクアップする。
【００２０】
[0020]本開示の第３の実施形態（Ｍｏｄｅ＿３）によれば、ワイヤレス通信システムは、ワイヤレスＡＰに関連付けられていない１つまたは複数のパッシブ・ワイヤレス・タグを含んでいる。
【００２１】
[0021]第３の実施形態の１つのバリエーション（Ｍｏｄｅ＿３Ａ）では、１つまたは複数のパッシブ・ワイヤレス・タグは、第１のデューティ・サイクルにおいて、アドバタイズされる情報に関する要求を受信するためにウェイクアップする。外部局は、第１のデューティ・サイクルを考慮して、これら要求のうちの少なくとも１つが１つまたは複数のパッシブ・ワイヤレス・タグによって受信されることを保証する方式で、一連の要求を送信する。パッシブ・ワイヤレス・タグは、受信された要求に応答して、アドバタイズされる情報を送信する。
【００２２】
[0022]第３の実施形態の別のバリエーション（Ｍｏｄｅ＿３Ｂ）では、パッシブ・ワイヤレス・デバイスの各々は、低電力ウェイクアップ回路を含んでいる。この実施形態では、外部局は、ウェイクアップ信号を送信し、これは、パッシブ・ワイヤレス・デバイスの低電力ウェイクアップ回路によって受信され、それによって、パッシブ・ワイヤレス・デバイスをウェイクアップさせる。外部局は、その後、アウェイクしたパッシブ・ワイヤレス・デバイスに要求を送信する。パッシブ・ワイヤレス・デバイスはその後、受信された要求に応答して、アドバタイズされる情報を送信する。
【００２３】
[0023]本開示の第４の実施形態（Ｍｏｄｅ＿４）によれば、ワイヤレス通信システムは、ワイヤレスＡＰに関連付けられていない１つまたは複数のアクティブ・ワイヤレス・タグを含んでいる。
【００２４】
[0024]第４の実施形態の１つのバリエーション（Ｍｏｄｅ＿４Ａ）では、１つまたは複数のアクティブ・ワイヤレス・タグの各々は、アドバタイズされる情報を含む発見パケット（discovery packets）を定期的に送信するために、第２のデューティ・サイクルによりウェイクアップする。外部局は、外部局が発見パケットのうちの少なくとも１つを受信することを保証するために、第２のデューティ・サイクルを考慮して選択されたインタバルで、第１の複数の時間においてウェイクアップする。
【００２５】
[0025]第４の実施形態の別のバリエーション（Ｍｏｄｅ＿４Ｂ）では、１つまたは複数のアクティブ・ワイヤレス・タグの各々は、低電力ウェイクアップ回路を含んでいる。この実施形態では、外部局は、ウェイクアップ信号を送信し、これは、アクティブ・ワイヤレス・デバイスの低電力ウェイクアップ回路によって受信され、それによってアクティブ・ワイヤレス・デバイスをウェイクアップさせる。これに応答して、１つまたは複数のアクティブ・ワイヤレス・タグは、アドバタイズされる情報を含む発見パケットを外部局に送信する。
【００２６】
[0026]ワイヤレス通信システムにおいて動作する方法が記載される。ワイヤレス・アクセスポイントからの通信が、通信システムにおける１つまたは複数のワイヤレス・タグのタグによって受信され得る。タグに関するアドバタイズされる情報は、ワイヤレス通信システムに対して外部にある局に、タグによってダイレクトに送信され得る。
【００２７】
[0027]いくつかの実施形態では、通信は、ビーコンであり得る。アドバタイズされる情報は、ビーコンに応答して送信され得る。ビーコンは、ビーコン内のタグを識別し得る。
【００２８】
[0028]一例において、省電力ポール（ＰＳ−Ｐｏｌｌ）が、ビーコンに応答して送信され得る。いくつかの実施形態では、アドバタイズされる情報は、ＰＳ−Ｐｏｌｌに含まれ得る。一例において、アクノレッジ信号は、ＰＳ−Ｐｏｌｌに応答してワイヤレス・アクセスポイントから受信され得る。アクノレッジ信号に応答して、アクティブ状態が維持され得る。アクティブ状態中、局からのプローブ要求が受信され得る。一例において、アドバタイズされる情報を送信することは、プローブ要求に応答して、アドバタイズされる情報を送信することを含む。
【００２９】
[0029]いくつかの実施形態では、ＰＳ−Ｐｏｌｌの送信に続いてアクティブ状態が維持され得る。アクティブ状態中に、プローブ要求が局から受信され得る。一例において、アドバタイズされる情報を送信することは、プローブ要求に応答して、アドバタイズされる情報を送信することを含む。
【００３０】
[0030]いくつかの実施形態では、通信は、デリバリー・トラフィック・インジケーション・マップ（ＤＴＩＭ）ビーコンであり得る。いくつかのケースでは、ＤＴＩＭビーコンに応答して、アクティブ状態が維持され得る。アクティブ状態中に、局から要求が受信され得る。一例において、アドバタイズされる情報を送信することは、要求に応答して、アドバタイズされる情報を送信することを含む。
【００３１】
[0031]いくつかのケースでは、通信は、ワイヤレス・アクセスポイントを用いてウェイクアップ・スケジュールを確立する。要求は、ウェイクアップ・スケジュールから導出される時間において、局から受信され得る。一例において、アドバタイズされる情報を送信することは、要求に応答して、アドバタイズされる情報を送信することを含む。
【００３２】
[0032]いくつかの実施形態では、通信は、ウェイクアップ時間を指定するウェイクアップ要求であり得る。ワイヤレス・タグは、指定されたウェイクアップ時間において、アクティブ状態に切り換わり得る。アクティブ状態中に、局から要求が受信され得る。一例において、アドバタイズされる情報を送信することは、要求に応答して、アドバタイズされる情報を送信することを含む。いくつかのケースでは、アドバタイズされる情報を送信することは、指定されたウェイクアップ時間において、アドバタイズされる情報を送信することを含む。
【００３３】
[0033]ワイヤレス・タグについても記載される。ワイヤレス・タグは、プロセッサと、プロセッサと電子通信するメモリとを含んでいる。メモリは、命令を具備し得る。これら命令は、ワイヤレス通信システムにおいてワイヤレス・アクセスポイントから通信を受信するように、プロセッサによって実行可能であり得る。ワイヤレス通信システムは、ワイヤレス・タグおよびワイヤレス・アクセスポイントを含み得る。これら命令は、ワイヤレス・システムに対して外部にある局に、ワイヤレス・タグに関するアドバタイズされる情報をダイレクトに送信するように、プロセッサによって実行可能であり得る。
【００３４】
[0034]装置についても記載される。装置は、タグまたは１つまたは複数のワイヤレス・タグにおいて、ワイヤレス通信システムにおけるワイヤレス・アクセスポイントからの通信を受信する手段と、ワイヤレス通信システムに対して外部にある局に、タグに関するアドバタイズされる情報をダイレクトに送信する手段と、を含み得る。ワイヤレス通信システムは、１つまたは複数のワイヤレス・タグおよびワイヤレス・アクセスポイントを含み得る。
【００３５】
[0035]アクセスポイントについても記載される。アクセスポイントは、プロセッサと、プロセッサと電子通信するメモリとを含んでいる。メモリは、命令を具備し得る。これら命令は、ワイヤレス通信システムに対して外部にある局からの通信を受信することと、少なくとも１つのワイヤレス・タグに関するアドバタイズされる情報を局にダイレクトに送信するよう、少なくとも１つのワイヤレス・タグをトリガするために、１つまたは複数のワイヤレス・タグのうちの少なくとも１つのワイヤレス・タグに通信を送信することと、を行うようにプロセッサによって実行可能であり得る。
【００３６】
[0036]いくつかの実施形態では、少なくとも１つのワイヤレス・タグは、受信された要求に応答してのみ、アドバタイズされる情報を送信し得る。いくつかの実施形態では、通信を確立するための命令は、局からの通信を受信することに応答して、少なくとも１つのワイヤレス・タグにビーコンを送信するようにプロセッサによって実行可能な命令を備える。少なくとも１つのワイヤレス・タグは、ビーコンに応答して、アドバタイズされる情報を局に送信し得る。一例において、ワイヤレス・アクセスポイントからの通信は、ビーコンであり得る。
【００３７】
[0037]いくつかのケースにおいて、アドバタイズされる情報は、少なくとも１つのワイヤレス・タグによって送信される省電力ポール（ＰＳ−Ｐｏｌｌ）にアドバタイズされる情報を含めることによって、少なくとも１つのワイヤレス・タグから送信され得る。いくつかの実施形態では、局からの通信は、少なくとも１つのワイヤレス・タグを識別し得、ビーコンは、通信に応答して、ビーコン内の少なくとも１つのワイヤレス・タグを識別し得る。
【００３８】
[0038]１つの実施形態では、これら命令はさらに、少なくとも１つのワイヤレス・タグにビーコンを送信するようにプロセッサによって実行可能であり得る。これら命令はまた、ビーコンを送信後、少なくとも１つのワイヤレス・タグから省電力ポール（ＰＳ−Ｐｏｌｌ）を受信するようにプロセッサによって実行可能であり得る。これら命令はさらに、ＰＳ−Ｐｏｌｌに応答してアクノレッジメント信号を送信するようにプロセッサによって実行可能であり得る。局は、アクノレッジ信号に応答して、識別された少なくとも１つのワイヤレス・タグに要求を送信し得る。いくつかの実施形態では、少なくとも１つのワイヤレス・タグは、要求に応答して、アドバタイズされる情報を送信し得る。
【００３９】
[0039]本開示は、以下の記載および図面を考慮すればより完全に理解される。
【図面の簡単な説明】
【００４０】
【図１】[0040]図１は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図２】図２は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図３】図３は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図４】図４は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図５】図５は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図６】図６は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図７】図７は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図８】図８は、本開示の第１のモードの１つのバリエーションによる、ワイヤレス・アクセスポイント（ＡＰ）および関連付けられたパッシブ・ワイヤレス・タグを含む確立されたワイヤレス・システムへの外部ワイヤレス局（ＳＴＡ）の導入を例示するブロック図である。
【図９】[0041]図９は、本開示の第２のモードの１つのバリエーションによる、ワイヤレス（ＡＰ）および関連付けられたアクティブ・ワイヤレス・タグを含む確立されたワイヤレス・システムへの外部ワイヤレスＳＴＡの導入を例示するブロック図である。
【図１０】図１０は、本開示の第２のモードの１つのバリエーションによる、ワイヤレス（ＡＰ）および関連付けられたアクティブ・ワイヤレス・タグを含む確立されたワイヤレス・システムへの外部ワイヤレスＳＴＡの導入を例示するブロック図である。
【図１１】図１１は、本開示の第２のモードの１つのバリエーションによる、ワイヤレス（ＡＰ）および関連付けられたアクティブ・ワイヤレス・タグを含む確立されたワイヤレス・システムへの外部ワイヤレスＳＴＡの導入を例示するブロック図である。
【図１２】[0042]図１２は、本開示の第３のモードの１つのバリエーションによる、関連付けられたワイヤレスＡＰの無い１つまたは複数のパッシブ・ワイヤレス・タグを含むワイヤレス・システムへの外部ＳＴＡの導入を例示するブロック図である。
【図１３】図１３は、本開示の第３のモードの１つのバリエーションによる、関連付けられたワイヤレスＡＰの無い１つまたは複数のパッシブ・ワイヤレス・タグを含むワイヤレス・システムへの外部ＳＴＡの導入を例示するブロック図である。
【図１４】[0043]図１４は、本開示の第４のモードの１つのバリエーションによる、関連付けられたワイヤレスＡＰの無い１つまたは複数のアクティブ・ワイヤレス・タグを含むワイヤレス・システムへの外部ＳＴＡの導入を例示するブロック図である。
【図１５】図１５は、本開示の第４のモードの１つのバリエーションによる、関連付けられたワイヤレスＡＰの無い１つまたは複数のアクティブ・ワイヤレス・タグを含むワイヤレス・システムへの外部ＳＴＡの導入を例示するブロック図である。
【図１６】[0044]図１６は、本開示による例示的なＡＰを示す図である。
【図１７】[0045]図１７は、本開示による例示的なワイヤレス・タグ、端末、または局を示す図である。
【図１８】[0046]図１８は、ワイヤレス通信システムにおいて動作する方法の一例を示すフローチャートである。
【図１９】[0047]図１９は、ワイヤレス通信システムにおいて動作する方法の一例を示すフローチャートである。
【図２０】[0048]図２０は、ワイヤレス通信システムにおいて動作する方法の一例を示すフローチャートである。
【図２１】[0049]図２１は、ワイヤレス通信システムにおいて動作する方法の一例を示すフローチャートである。
【図２２】[0050]図２２は、１つまたは複数のワイヤレス・タグを含むワイヤレス通信システムに導入されるようになるための方法の一例を示すフローチャートである。
【詳細な説明】
【００４１】
[0051]一般に、本開示は、外部ワイヤレス局（ＳＴＡ）が、１つまたは複数のワイヤレス・タグを含む確立されたワイヤレス通信システムを有するエリアに入ること、および、エネルギー効率の良い方式で１つまたは複数のワイヤレス・タグからアドバタイズされる情報をダイレクトに受信することを可能にする、４つの動作モードを提供する。本明細書に記載された実施形態では、確立されたワイヤレス通信システムは、ＩＥＥＥ８０２．１１仕様に従って動作するワイヤレス・ローカル・エリア・ネットワーク（ＷＬＡＮ）を含んでいる。しかしながら、本開示はまた、他のプロトコルに従って動作するワイヤレス通信システムにも適用可能であることが理解される。
【００４２】
[0052]本開示は、以下のとおり要約され得る、４つの動作モードを含んでいる。第１のモード（Ｍｏｄｅ＿１）では、外部ＳＴＡは、対応するワイヤレス・アクセスポイント（ＡＰ）に関連付けられた、１つまたは複数のパッシブ・ワイヤレス・タグを含む、確立されたワイヤレス通信システムに導入される。第２のモード（Ｍｏｄｅ＿２）では、外部ＳＴＡは、対応するワイヤレスＡＰに関連付けられた、１つまたは複数のパッシブ・ワイヤレス・タグを含む、確立されたワイヤレス通信システムに導入される。第３のモード（Ｍｏｄｅ＿３）では、外部ＳＴＡは、ワイヤレスＡＰに関連付けられていない、１つまたは複数のパッシブ・ワイヤレス・タグを含む確立されたワイヤレス通信システムに導入される。第４のモード（Ｍｏｄｅ＿４）では、外部ＳＴＡは、ワイヤレスＡＰに関連付けられていない、１つまたは複数のアクティブ・ワイヤレス・タグを含む、確立されたワイヤレス通信システムに導入される。本開示のさまざまなモードによって、外部ＳＴＡは、エネルギー効率の良い方式で、ワイヤレス・タグとダイレクトに対話（interact）することが可能となる。
【００４３】
[0053]以下により詳細に記載されているように、第１モードＭｏｄｅ＿１および第２のモードＭｏｄｅ＿２では、外部ＳＴＡは、ワイヤレス・タグのための送信スケジュールに関する情報を取得するか、または、ワイヤレス・タグに送信スケジュールを課すために、関連付けられたワイヤレスＡＰと対話し得る。
【００４４】
Ｍｏｄｅ＿１ 
[0054]ここで、第１のモードＭｏｄｅ＿１について、より詳細に説明する。Ｍｏｄｅ＿１では、１つまたは複数のパッシブ・ワイヤレス・タグがワイヤレスＡＰに関連付けられ、これらワイヤレス・タグは、ワイヤレスＡＰによってコンタクトされるのを受動的に待つ。パッシブ・ワイヤレス・タグは、ＩＥＥＥ８０２．１１仕様によって定義される標準的な省電力メカニズムを実装し得、ここで、パッシブ・ワイヤレス・タグは、ワイヤレスＡＰによって定期的に送信されるビーコンをリスンする。パッシブ・ワイヤレス・タグがビーコンによってページされた場合、パッシブ・ワイヤレス・タグは、ＰＳ−ＰｏｌｌフレームをワイヤレスＡＰに送信せよとの（バッファされた任意の情報をワイヤレスＡＰが送信することを要求する）ビーコンを受信した後、ある時間期間、アウェイクし続ける。ビーコンがデリバリー・トラフィック・インジケーション・メッセージ（ＤＴＩＭ）である場合、データがワイヤレスＡＰからブロードキャストされるのを待つために、ビーコン後、パッシブ・ワイヤレス・タグのすべてが、アウェイクし続ける。本開示のＭｏｄｅ＿１は、以下に記載する方式で、パッシブ・ワイヤレス・タグのウェイクアップ時間を同期化するために、これらのメカニズムを利用する。
【００４５】
Ｍｏｄｅ＿１Ａ 
[0055]以下でＭｏｄｅ＿１Ａと呼ぶ、第１のモードＭｏｄｅ＿１の１つのバリエーションは、ワイヤレスＡＰと１つまたは複数の関連付けられたパッシブ・ワイヤレス・タグとを含むワイヤレス通信システムによって実現される、トラフィック・インジケーション・マップ（ＴＩＭ）ページング・メカニズムを利用する。図１は、Ｍｏｄｅ＿１Ａによる、ワイヤレスＡＰ  １０５と、関連付けられたパッシブ・ワイヤレス・タグ１１１−１１２とを含む、確立されたワイヤレス通信システム１００への外部ＳＴＡ  １２０の導入を例示するブロック図である。外部ＳＴＡ  １２０は、Ｍｏｄｅ＿１Ａの記載された実施形態において、ワイヤレスＡＰ  １０５に関連付けられる場合も、関連付けられない場合もあり得る。図１には、２つのパッシブ・ワイヤレス・タグ１１１−１１２しか示されていないが、ワイヤレス・システム１００は、その他の数のパッシブ・ワイヤレス・タグを含み得ることが理解される。
【００４６】
[0056]図１によって例示された実施形態では、外部ＳＴＡ  １２０は、ワイヤレスＡＰ  １０５に要求（ＲＥＱ）１２１を送信する。この要求は、どのワイヤレス・タグが、またはワイヤレス・タグのどのクラスが、外部ＳＴＡ  １２０にとって関心があるものかを示す。この受信された要求ＲＥＱ  １２１に基づいて、ワイヤレスＡＰ  １０５は、送信されるＴＩＭ  １２２において対応するビットを設定することによって、関心があるとして示されたパッシブ・ワイヤレス・タグをページする。例示された実施形態では、要求信号ＲＥＱ  １２１は、パッシブ・ワイヤレス・タグ１１１が関心のあるワイヤレス・タグであること、および、パッシブ・ワイヤレス・タグ１１２が関心のあるワイヤレス・タグではないことを示す。したがって、送信されたＴＩＭ  １２２は、パッシブ・ワイヤレス・タグ１１２ではなく、パッシブ・ワイヤレス・タグ１１１を指定（ページ）する。
【００４７】
[0057]これに応答して、ＴＩＭ  １２２によって指定されたパッシブ・ワイヤレス・タグ１１１が、ワイヤレスＡＰ  １０５にＰＳ−Ｐｏｌｌ（またはトリガ・フレーム）１２３を送信する。従来のＰＳ−Ｐｏｌｌ／トリガ・フレームに典型的に含まれている情報に加えて、パッシブ・ワイヤレス・タグ１１１によって送信されるＰＳ−Ｐｏｌｌ／トリガ・フレーム１２３は、パッシブ・ワイヤレス・タグ１１１によってアドバタイズされるべき情報（ＡＤ＿ＩＮＦＯ）（例えば、温度、位置、またはその他の測定されたパラメータ）を含むように修正される。外部ＳＴＡ  １２０は、パッシブ・ワイヤレス・タグ１１１から送信された、ＰＳ−Ｐｏｌｌ／トリガ・フレーム１２３および関連付けられたＡＤ＿ＩＮＦＯをリスンする。その結果、外部ＳＴＡ  １２０は、パッシブ・ワイヤレス・タグ１１１からダイレクトにＡＤ＿ＩＮＦＯを受信する。ワイヤレスＡＰ  １０５は、ＴＩＭ  １２２が関心のあるパッシブ・ワイヤレス・タグからＡＤ＿ＩＮＦＯを読み出す目的のためだけに送信されたことを（受信した要求ＲＥＱ１２１から）認識しているので、ワイヤレスＡＰ  １０５は、この例では、パッシブ・ワイヤレス・タグ１１１によって送信されたＰＳ＿Ｐｏｌｌ／トリガ・フレーム１２３に応答しないことに留意されたい。
【００４８】
[0058]図１に例示された実施形態の１つのバリエーションでは、外部ＳＴＡ  １２０によって提供された要求ＲＥＱ  １２１は、ワイヤレスＡＰ  １０５に、ＰＳ−Ｐｏｌｌ／トリガ・フレームの代わりに、アドバタイジング・フレームを送信するように特定のクラスのワイヤレス・タグを明示的にトリガするＴＩＭ  １２２を送信させる。このバリエーションでは、パッシブ・ワイヤレス・タグ１１１は、ＰＳ−Ｐｏｌｌ／トリガ・フレーム１２３を送信するのではなく、関連付けられたＡＤ＿ＩＮＦＯを含むアドバタイジング・フレーム１２４を送信する。外部ＳＴＡ  １２０は、アドバタイジング・フレーム１２４からダイレクトにＡＤ＿ＩＮＦＯを受信する。
【００４９】
[0059]図２は、Ｍｏｄｅ＿１Ａの代替的な実施形態を例示するブロック図２００であり、ここでは、パッシブ・ワイヤレス・タグ１１１が、前述されたＡＤ＿ＩＮＦＯを含んでいない従来のＰＳ−Ｐｏｌｌ  １２５を送信することによって、ＴＩＭ  １２２に応答する。これに応答して、ワイヤレスＡＰ  １０５は、従来のアクノレッジメント（ＡＣＫ）メッセージ１２６を送信し、送信されるべき「さらなるデータ」が存在することをパッシブ・ワイヤレス・タグ１１１に対して示す。したがって、ＴＩＭ  １２２によって示されるワイヤレス・タグ（例えば、パッシブ・ワイヤレス・タグ１１１）がアウェイクし続け、ワイヤレスＡＰ  １０５からの追加のデータの送信を待つ。この時間中、外部ＳＴＡ  １２０は、特別なプローブ要求１２７をブロードキャストし、これは、（アウェイクした）パッシブ・ワイヤレス・タグ１１１（および、ＴＩＭ  １２２によって指定されたその他のパッシブ・ワイヤレス・タグ）によって受信され、ここで、特別なプローブ要求１２７は、アドバタイズされる情報（ＡＤ＿ＩＮＦＯ）を含む応答を要求する。プローブ要求１２７を受信することに応答して、パッシブ・ワイヤレス・タグ１１１は、ＡＤ＿ＩＮＦＯを含む特別なプローブ応答１２８を送信する。これによって、外部ＳＴＡ  １２０は、特別なプローブ応答１２８からＡＤ＿ＩＮＦＯを受信する。
【００５０】
[0060]図３は、Ｍｏｄｅ＿１Ａの別の実施形態を例示するブロック図３００であり、ここでは、パッシブ・ワイヤレス・タグ１１１が、前述されたＡＤ＿ＩＮＦＯを含んでいない従来のＰＳ−Ｐｏｌｌ  １２５を送信することによってＴＩＭ  １２２に応答する。この実施形態では、ワイヤレスＡＰ  １０５は、パッシブ・ワイヤレス・タグ１１１によって送信されたＰＳ−ｐｏｌｌ  １２５に対して応答（すなわち、アクノレッジ）しない。すなわち、ワイヤレスＡＰ  １０５は、アクノレッジ・メッセージ１２６を送信しない。代わりに、外部ＳＴＡ  １２０が、ワイヤレスＡＰ  １０５の代わりにＰＳ−ｐｏｌｌ  １２５に応答する。より具体的には、外部ＳＴＡ  １２０は、図２に関して前述された特別なプローブ要求１２７をブロードキャストする。これに応答して、パッシブ・ワイヤレス・タグ１１１（および、ＴＩＭ  １２２によって示されたその他任意のパッシブ・ワイヤレス・タグ）は、図２に関して前述された特別なプローブ応答１２８を送信し、これによって、外部ＳＴＡ  １２０がパッシブ・ワイヤレス・タグ１１１からＡＤ＿ＩＮＦＯをダイレクトに受信できるようにする。
【００５１】
Ｍｏｄｅ＿１Ｂ 
[0061]以下でＭｏｄｅ＿１Ｂと呼ぶ、第１のモード（Ｍｏｄｅ＿１）の第２のバリエーションは、ワイヤレスＡＰと１つまたは複数の関連付けられたパッシブ・ワイヤレス・タグとを含むワイヤレス通信システムによって実施されるデリバリー・トラフィック・インジケーション・マップ（ＤＴＩＭ）ページング・メカニズムを利用する。図４は、Ｍｏｄｅ＿１Ｂによる、ワイヤレスＡＰ  １０５と、関連付けられたパッシブ・ワイヤレス１１１−１１２とを含む、確立されたワイヤレス・システム４００への、外部ＳＴＡ  １２０の導入を例示するブロック図である。外部ＳＴＡ  １２０は、Ｍｏｄｅ＿１Ｂの記載された実施形態において、ワイヤレスＡＰ  １０５に関連付けられることも、関連付けられないこともあり得る。
【００５２】
[0062]図４によって例示された実施形態では、外部ＳＴＡ  １２０は、ＤＴＩＭ要求（ＤＴＩＭ＿ＲＥＱ）１２９をワイヤレスＡＰ  １０５に送信する。この要求ＤＴＩＭ＿ＲＥＱ  １２９は、ワイヤレスＡＰ  １０５に対して、関連付けられたパッシブ・ワイヤレス・タグ１１１−１１２のすべてをウェイクアップさせるように指示する。これに応答して、ワイヤレスＡＰ  １０５は、ＤＴＩＭビーコンを送信する時間まで待つが、ワイヤレスＡＰ  １０５は、ＤＴＩＭビーコンを送信するように指定された時間においてパッシブ・ワイヤレス・タグ１１１−１１２にブロードキャストすべき情報を有していない。この時、ワイヤレスＡＰ  １０５は、関連付けられたパッシブ・ワイヤレス・タグ１１１−１１２を指定するＤＴＩＭビーコン１３０をブロードキャストする。このＤＴＩＭビーコン１３０を受信することに応答して、パッシブ・ワイヤレス・タグ１１１−１１２は、ワイヤレスＡＰ  １０５からブロードキャストされたデータを受信することを予想してアウェイクし続けることになる。しかしながら、前述されたように、ワイヤレスＡＰ  １０５は、この時、パッシブ・ワイヤレス・タグ１１１−１１２に送信するデータを実際には有していない。したがって、ワイヤレスＡＰ  １０５は、外部ＳＴＡ  １２０が、パッシブ・ワイヤレス・タグ１１１−１１２にブロードキャスト要求（ＢＣＡＳＴ＿ＲＥＱ）１３１を送信するための時間を残す。１つの実施形態では、ワイヤレスＡＰ  １０５は、オプションのトリガ信号（ＴＲＧ）１３２を外部ＳＴＡ  １２０に送信して、外部ＳＴＡ  １２０に対し、ブロードキャスト要求１３１を送信する時間であることを知らせる（これによって、外部ＳＴＡ  １２０が、この時間までスリープ・モードにとどまることを可能にする）。パッシブ・ワイヤレス・タグ１１１−１１２の各々は、ブロードキャスト要求１３１を受信し、それに応答して、ブロードキャスト要求１３１を受信した後の所与の時間において、対応するリプライ（reply）（ＡＤ＿ＩＮＦＯを含む）を送信する。１つの実施形態では、パッシブ・ワイヤレス・タグ１１１および１１２は、衝突を回避するために、時間差で（in a staggered manner）、リプライ１３３および１３４をそれぞれ提供する。リプライ１３３および１３４は、例えば、パッシブ・ワイヤレス・タグ１１１−１１２の各々に、パッシブ・ワイヤレス・タグに割り振られたユニークな識別子（ＩＤ）に基づいてランダムな時間において応答させることによって、時間差となり得る。
【００５３】
Ｍｏｄｅ＿１Ｃ 
[0063]以下でＭｏｄｅ＿１Ｃと呼ぶ、第１のモード（Ｍｏｄｅ＿１）の第３のバリエーションは、既存のＩＥＥＥ８０２．１１プロトコルの拡張として現在議論されている、より進歩したスケジューリング・オプションを利用する。図５は、Ｍｏｄｅ＿１Ｃによる、ワイヤレスＡＰ  １０５と、関連付けられたパッシブ・ワイヤレス・タグ１１１−１１２とを含む、確立されたワイヤレス・システム５００への、外部ＳＴＡ  １２０の導入を例示するブロック図である。外部ＳＴＡ  １２０は、Ｍｏｄｅ＿１Ｃの記載された実施形態においてワイヤレスＡＰ  １０５に関連付けられる。
【００５４】
[0064]図５は、Ｍｏｄｅ＿１Ｃの実施形態を例示しており、ここでは、パッシブ・ワイヤレス・タグ１１１−１１２の各々が、ワイヤレスＡＰ  １０５を用いてウェイクアップ・スケジュールを確立し、パッシブ・ワイヤレス・タグ１１１−１１２は、ワイヤレスＡＰ  １０５からのダウンロード・データを受信するために、確立されたウェイクアップ・スケジュールにしたがってウェイクアップする。パッシブ・ワイヤレス・タグ１１１−１１２のウェイクアップ・スケジュールは、図５に例示されるように、ワイヤレスＡＰ  １０５によって、ウェイクアップ・スケジュール・テーブル１０６に記憶される。この実施形態では、外部ＳＴＡ  １２０は、先ず、例えば、ＩＥＥＥ８０２．１１仕様（またはその拡張）によって定義された関連付け処理を用いて、ワイヤレスＡＰ  １０５と関連する。外部ＳＴＡ  １２０はその後、スケジュール要求（Ｓ＿ＲＥＱ）１３５をワイヤレスＡＰ  １０５に送信し、ここで、このスケジュール要求１３５は、ワイヤレスＡＰ  １０５に対して、ウェイクアップ・スケジュール・テーブル１０６の詳細を外部ＳＴＡ  １２０に提供するように指示する。例えば、外部ＳＴＡ  １２０は、パッシブ・ワイヤレス・タグ１１１および１１２に関連付けられたウェイクアップ・スケジュール・テーブル１０６の一部分を要求し得る。これに応答して、ワイヤレスＡＰ  １０５は、ウェイクアップ・スケジュール・テーブル１０６の要求された一部分を、スケジュール応答（Ｓ＿ＲＥＳ）１３６の形態で外部ＳＴＡ  １２０に送信する。その結果、外部ＳＴＡ  １２０は、関心のあるパッシブ・ワイヤレス・タグがアウェイク状態に入ることになる時間を知らされる。関心のあるパッシブ・ワイヤレス・タグがアウェイク状態にあるときには、外部ＳＴＡ  １２０は、関心のあるパッシブ・ワイヤレス・タグに、ＡＤ＿ＩＮＦＯ要求（ＡＤ＿ＩＮＦＯ＿ＲＥＱ）１３７を送信する。これに応答して、関心のあるパッシブ・ワイヤレス・タグは、所望のＡＤ＿ＩＮＦＯを含むＡＤ＿ＩＮＦＯ応答（ＡＤ＿ＩＮＦＯ＿ＲＥＳ）を送信する。
【００５５】
[0065]したがって、外部ＳＴＡ  １２０は、パッシブ・ワイヤレス・タグ１１１がアクティブ状態にあるときには、パッシブ・ワイヤレス・タグ１１１にＡＤ＿ＩＮＦＯ要求１３７を送信し、これに応答して、パッシブ・ワイヤレス・タグ１１１から対応するＡＤ＿ＩＮＦＯ応答１３８を受信し得る。
【００５６】
[0066]パッシブ・ワイヤレス・タグ１１１−１１２の両方が、同時にアクティブ状態に入るであろうと外部ＳＴＡ  １２０が決定した場合、外部ＳＴＡ  １２０は、パッシブ・ワイヤレス・タグ１１１および１１２に同時にＡＤ＿ＩＮＦＯ要求１３７をブロードキャストし、それに応答して、パッシブ・ワイヤレス・タグ１１１および１１２からそれぞれ対応するＡＤ＿ＩＮＦＯ応答１３８および１３９を受信し得る。このケースでは、パッシブ・ワイヤレス・タグ１１１および１１２は、時間差で、対応する応答１３８および１３９を送信する。
【００５７】
Ｍｏｄｅ＿１Ｄ 
[0067]以下でＭｏｄｅ＿１Ｄと呼ぶ、第１のモード（Ｍｏｄｅ＿１）の第４のバリエーションは、Ｍｏｄｅ＿１Ｃに類似しているが、外部ＳＴＡ  １２０が、関心のあるパッシブ・ワイヤレス・タグがアウェイク状態にある時間を指定することを可能にする。図６は、Ｍｏｄｅ＿１Ｄによる、ワイヤレスＡＰ  １０５と、関連付けられたパッシブ・ワイヤレス・タグ１１１−１１２とを含む、確立されたワイヤレス・システム６００への外部ＳＴＡ  １２０の導入を例示するブロック図である。
【００５８】
[0068]図６に例示されるように、外部ＳＴＡ  １２０は、先ず、ワイヤレスＡＰ  １０５と関連する。ワイヤレスＡＰ  １０５は、図５に関して前述された方式で、ウェイクアップ・スケジュール・テーブル１０６を維持する。ワイヤレスＡＰ  １０５との関連付けの後、外部ＳＴＡ  １２０は、ウェイクアップ要求（Ｗ＿ＲＥＱ）１４０をワイヤレスＡＰ  １０５に送信し、ここで、このウェイクアップ要求１４０は、関心のある１つまたは複数のパッシブ・ワイヤレス・タグを指定し、さらに、これら関心のあるパッシブ・ワイヤレス・タグが外部ＳＴＡ  １２０と通信するためにアウェイクされるべき時間を指定する。これに応答して、ワイヤレスＡＰ  １０５は、関心のある指定されたパッシブ・ワイヤレス・タグに、第２のウェイクアップ要求（ＷＵ＿ＲＥＱ）１４１を送信し、このウェイクアップ要求１４１は、これらパッシブ・ワイヤレス・タグがアウェイクするべき時間を指定する。特定の実施形態では、ワイヤレスＡＰ  １０５は、ＤＴＩＭビーコンをブロードキャストした後にウェイクアップ要求１４１を送信し、これによって、関連付けられたパッシブ・ワイヤレス・タグ１１１−１１２のすべてが、このウェイクアップ要求１４１を受信するようになる。別の実施形態では、ワイヤレスＡＰ  １０５は、ウェイクアップ・スケジュール・テーブル１０６の内容に基づいて、関心のあるパッシブ・ワイヤレス・タグがアウェイクする瞬間に、ウェイクアップ要求１４１を送信する。受信されたウェイクアップ要求１４１に応答して、関心のあるパッシブ・ワイヤレス・タグは、その後、ウェイクアップ要求１４１によって指定された時間にウェイクアップする。
【００５９】
[0069]１つの実施形態では、外部ＳＴＡ  １２０は、指定されたウェイクアップ時間に、関心のあるパッシブ・ワイヤレス・タグにＡＤ＿ＩＮＦＯ要求（ＡＤ＿ＩＮＦＯ＿ＲＥＱ）１４２を送信する。これに応答して、関心のあるパッシブ・ワイヤレス・タグは、所望のＡＤ＿ＩＮＦＯを含むＡＤ＿ＩＮＦＯ応答（ＡＤ＿ＩＮＦＯ＿ＲＥＳ）を送信する。
【００６０】
[0070]したがって、外部ＳＴＡ  １２０は、指定されたウェイクアップ時間において、パッシブ・ワイヤレス・タグ１１１にＡＤ＿ＩＮＦＯ要求１４２を送信し、これに応答して、パッシブ・ワイヤレス・タグ１１１から対応するＡＤ＿ＩＮＦＯ応答１４３を受信し得る。
【００６１】
[0071]パッシブ・ワイヤレス・タグ１１１−１１２の両方が指定されたウェイクアップ時間においてアクティブ状態にあるべきであることを外部ＳＴＡ  １２０が指定する場合、外部ＳＴＡ  １２０は、ＡＤ＿ＩＮＦＯ要求１４２をパッシブ・ワイヤレス・タグ１１１および１１２に同時にブロードキャストし、これに応答して、パッシブ・ワイヤレス・タグ１１１および１１２からそれぞれ対応するＡＤ＿ＩＮＦＯ応答１４３および１４４を受信し得る。このケースでは、パッシブ・ワイヤレス・タグ１１１および１１２は、前述された方式で、対応するＡＤ＿ＩＮＦＯ応答１４３および１４４の送信を時間差にする（stagger）。
【００６２】
[0072]代替的な実施形態によれば、関心のあるパッシブ・ワイヤレス・タグは、指定されたウェイクアップ時間において、単に、ウェイクアップし、ＡＤ＿ＩＮＦＯ応答を外部ＳＴＡ１２０に送信する。この実施形態は、前述された方式で、外部ＳＴＡ  １２０がＡＤ＿ＩＮＦＯ要求（ＡＤ＿ＩＮＦＯ＿ＲＥＱ）１４４を送信する必要性を無くす。
【００６３】
Ｍｏｄｅ＿１Ｅ 
[0073]以下でＭｏｄｅ＿１Ｅと呼ぶ、第１のモード（Ｍｏｄｅ＿１）の第５のバリエーションは、Ｍｏｄｅ＿１Ｃに類似しているが、ワイヤレスＡＰ  １０５に対して、外部ＳＴＡ  １２０にウェイクアップ・スケジュール・テーブル１０６を送信することを必ずしも要求しない。図７は、Ｍｏｄｅ＿１Ｅによる、ワイヤレスＡＰ  １０５と、関連付けられたパッシブ・ワイヤレス・タグ１１１−１１２とを含む、確立されたワイヤレス・システム７００への、外部ＳＴＡ  １２０の導入を例示するブロック図である。
【００６４】
[0074]図７に例示されるように、外部ＳＴＡ  １２０は、先ず、ワイヤレスＡＰ  １０５と関連する。ワイヤレスＡＰ  １０５は、図５に関して前述された方式でウェイクアップ・スケジュール・テーブル１０６を維持し、ウェイクアップ・スケジュール・テーブル１０６は、パッシブ・ワイヤレス・タグ１１１−１１２がワイヤレスＡＰ  １０５からダウンリンク・データまたはトリガ・フレームを受信するためにウェイクアップする時間を追跡する。ワイヤレスＡＰ  １０５との関連付けの後、外部ＳＴＡ  １２０は、関心のあるパッシブ・ワイヤレス・タグにアドレスされたＡＤ＿ＩＮＦＯ要求（ＡＤ＿ＩＮＦＯ＿ＲＥＱ）１４６を、不定の（ランダムな）時間において送信する。この時、外部ＳＴＡ  １２０は、ウェイクアップ・スケジュール・テーブル１０６から、どの情報も受信していない。外部ＳＴＡ  １２０がＡＤ＿ＩＮＦＯ要求１４６を送信する時にたまたまアウェイクする、関心のあるパッシブ・ワイヤレス・タグの任意のものが、パッシブ・ワイヤレス・タグのＡＤ＿ＩＮＦＯを含むＡＤ＿ＩＮＦＯ応答（例えば、ＡＤ＿ＩＮＦＯ＿ＲＥＳ  １４７またはＡＤ＿ＩＮＦＯ＿ＲＥＳ  １４８）によって、このＡＤ＿ＩＮＦＯ要求１４６に応答する。時間差送信は、マルチプルなパッシブ・ワイヤレス・タグ間の衝突を回避するために使用され得る。
【００６５】
[0075]ワイヤレスＡＰ  １０５はまた、外部ＳＴＡ  １２０によって送信されたＡＤ＿ＩＮＦＯ要求１４６を受信し、これに応答して、関心のあるパッシブ・ワイヤレス・タグによって送信されたＡＤ＿ＩＮＦＯ応答についてワイヤレス媒体を監視する。関心のあるパッシブ・ワイヤレス・タグの何れも所定の時間期間内にＡＤ＿ＩＮＦＯ応答を送信していないとワイヤレスＡＰ  １０５が決定した場合、ワイヤレスＡＰ  １０５は、ウェイクアップ・スケジュール・テーブル１０６から、関心のあるタグについての予想されるウェイクアップ時間スケジュール（Ｓ＿ＩＮＦＯ）１４５を読み出し、これらウェイクアップ時間スケジュール１４５を外部ＳＴＡ  １２０に送信する。これに応答して、外部ＳＴＡ  １２０は、受信されたウェイクアップ時間スケジュール１４５に応答して決定された時間にＡＤ＿ＩＮＦＯ要求１４６を再送信する。例えば、外部ＳＴＡ  １２０は、受信したウェイクアップ時間スケジュール１４５から決定された最良の予想されるウェイクアップ時間または最も早い決定されたウェイクアップ時間において、ＡＤ＿ＩＮＦＯ要求１４６を再送信し得る。
【００６６】
Ｍｏｄｅ＿１Ｆ 
[0076]以下でＭｏｄｅ＿１Ｆと呼ぶ、第１のモード（Ｍｏｄｅ＿１）の第６のバリエーションは、ＩＥＥＥ８０２．１１仕様のジェネリック・アドバタイズメント・サービス（ＧＡＳ）フレームワーク内で実施される。図８は、Ｍｏｄｅ＿１Ｆによる、ワイヤレスＡＰ  １０５と、関連付けられたパッシブ・ワイヤレス・タグ１１１−１１２とを含む、確立されたワイヤレス・システム８００への、外部ＳＴＡ  １２０の導入を例示するブロック図である。
【００６７】
[0077]図８に例示されるように、外部ＳＴＡ  １２０は先ず、ワイヤレスＡＰ  １０５と関連する。ワイヤレスＡＰ  １０５は、図５に関して前述された方式でウェイクアップ・スケジュール・テーブル１０６を維持し、ここで、ウェイクアップ・スケジュール・テーブル１０６は、パッシブ・ワイヤレス・タグ１１１−１１２が、ワイヤレスＡＰ  １０５からダウンリンク・データまたはトリガ・フレームを受信するためにウェイクアップする時間を追跡する。この実施形態では、外部ＳＴＡ  １２０は、特定のパッシブ・タグまたはパッシブ・タグのグループにアドレスされたＧＡＳ初期要求（ＧＡＳ＿ＩＮＩＴ＿ＲＥＱ）１５０を送信する。例示された例では、ＧＡＳ初期要求１５０は、パッシブ・タグ１１１および１１２にアドレスされる。ワイヤレスＡＰ  １０５は、ＧＡＳ初期要求１５０を受信し、これに応答して、ウェイクアップ・スケジュール・テーブル１０６にアクセスし、ＧＡＳ初期応答（ＧＡＳ＿ＩＮＩＴ＿ＲＥＳ）１５１を生成する。このＧＡＳ初期応答（ＧＡＳ＿ＩＮＩＴ＿ＲＥＳ）１５１は、アドレスされた各パッシブ・タグのパッシブ・タグ識別子（ＩＤ）と、アドレスされたパッシブ・タグについての対応する次のウェイクアップ・インスタンス（または、最も早いウェイクアップ時間）を含む。例示された例では、ＧＡＳ初期応答１５１は、パッシブ・タグ１１１および１１２のためのパッシブ・タグＩＤと、パッシブ・タグ１１１および１１２のための次のウェイクアップ・インスタンス（または、最も早いウェイクアップ時間）を含む。
【００６８】
[0078]外部ＳＴＡ  １２０は、ＧＡＳ初期応答１５１を受信し、これに応答して、パッシブ・タグ１１１の指定された次のウェイクアップ時間以降に、パッシブ・タグ１１１のパッシブ・タグＩＤにアドレスされた第１のＧＡＳカムバック要求（ＧＡＳ＿ＣＢ＿ＲＥＱ）１５２を生成する。これに応答して、アドレスされたパッシブ・タグ１１１は、要求されたＡＤ＿ＩＮＦＯを含む、１つ（または複数）のＧＡＳカムバック応答（ＧＡＳ＿ＣＢ＿ＲＥＳ）１５３で応答する。同様に、外部ＳＴＡ  １２０は、パッシブ・タグ１１２の指定された次のウェイクアップ時間以降に、パッシブ・タグ１１２のパッシブ・タグＩＤにアドレスされた第２のＧＡＳカムバック要求１５４を生成する。これに応答して、アドレスされたパッシブ・タグ１１２は、要求されたＡＤ＿ＩＮＦＯを含む１つ（または複数）のＧＡＳカムバック応答１５５で応答する。
【００６９】
[0079]特定の実施形態では、外部ＳＴＡ  １２０がパッシブ・タグ１１１−１１２からの情報について問い合わせることが可能となる前に、外部ＳＴＡ  １２０がワイヤレスＡＰ  １０５に関連付けられねばならないという要件があるのであれば、アドレスされたパッシブ・タグ（例えば、パッシブ・タグ１１１）は、外部ＳＴＡ  １２０からＧＡＳカムバック要求１５２を受信することに応答して、クエリ要求（Ｑ＿ＲＥＱ）１５６をワイヤレスＡＰ  １０５に送信し得る。このケースでは、対応するＧＡＳカムバック応答１５３を外部ＳＴＡ  １２０に送信する前に、アドレスされたパッシブ・タグ１１１は、ワイヤレスＡＰ  １０５からのクエリ・リプライ（query reply）（Ｑ＿ＲＥＰ）１５７（これは、外部ＳＴＡ  １２０がワイヤレスＡＰ  １０５に関連付けられていることを示す）を待つことになる。
【００７０】
Ｍｏｄｅ＿２ 
[0080]ここで、第２のモードＭｏｄｅ＿２について、より詳細に説明する。Ｍｏｄｅ＿２では、アクティブ・ワイヤレス・タグが、ワイヤレスＡＰに関連付けられ、これらアクティブ・ワイヤレス・タグは、アドバタイズメント・フレームを定期的に送信する。
【００７１】
Ｍｏｄｅ＿２Ａ 
[0081]以下でＭｏｄｅ＿２Ａと呼ぶ、第２のモードＭｏｄｅ＿２の第１のバリエーションでは、アクティブ・ワイヤレス・タグの各々が、各ビーコンがワイヤレスＡＰによって送信された後、対応するアドバタイズメント・フレームを送信する。
【００７２】
[0082]図９は、Ｍｏｄｅ＿２Ａによる、ワイヤレスＡＰ  １０５と、関連付けられたアクティブ・ワイヤレス・タグ２１１とを含む、確立されたワイヤレス通信システム９００への、外部ＳＴＡ  １２０の導入を例示するブロック図である。外部ＳＴＡ  １２０は、Ｍｏｄｅ＿２Ａの記載された実施形態では、ワイヤレスＡＰ  １０５に関連付けられることも、関連付けられないこともあり得る。図９には、１つのアクティブ・ワイヤレス・タグ２１１しか示されていないが、ワイヤレス通信システム２００は、その他の数のアクティブ・ワイヤレス・タグを含み得ることが理解される。図９の実施形態では、ワイヤレスＡＰ  １０５は、（例えば、ＩＥＥＥ８０２．１１仕様に従って）ビーコン信号１６０を定期的に送信する。送信された各ビーコン信号１６０の後、アクティブ・ワイヤレス・タグ２１１は、アクティブ・タグ２１１に関連付けられたアドバタイズされる情報（ＡＤ＿ＩＮＦＯ）を含む、アドバタイズメント・フレーム（ＡＤ＿ＦＲＡＭＥ）１６１を送信する。外部ＳＴＡ  １２０は、単に、各ビーコン信号１６０の後のある時間期間、アドバタイズメント・フレーム１６１についてリスンする。この実施形態では、外部ＳＴＡ  １２０は、先ず、ワイヤレスＡＰ  １０５と関連付けることによって、または、ワイヤレスＡＰ  １０５がビーコン信号１６０を送信するスケジュールを決定するために必要である限りリスンすることによって、ビーコン１６０が送信された時間を認識するようになり得る。
【００７３】
Ｍｏｄｅ＿２Ｂ 
[0083]以下でＭｏｄｅ＿２Ｂと呼ぶ、第２のモード（Ｍｏｄｅ＿２）の第２のバリエーションでは、ワイヤレスＡＰによって「Ｘ」個のビーコンの各々が送信された後、アクティブ・ワイヤレス・タグの各々が、対応するアドバタイズメント・フレームを送信する。ここで、「Ｘ」は、１よりも大きな整数である。例えば、アクティブ・ワイヤレス・タグの各々は、ワイヤレスＡＰによって各デリバリー・トラフィック・インジケーション・メッセージ（ＤＴＩＭ）が送信された後、対応するアドバタイズメント・フレームを送信し得る。
【００７４】
[0084]図１０は、Ｍｏｄｅ＿２Ｂによる、ワイヤレスＡＰ  １０５と、関連付けられたアクティブ・ワイヤレス・タグ２１１とを含む、確立されたワイヤレス通信システム１０００への外部ＳＴＡ  １２０の導入を例示するブロック図である。外部ＳＴＡ  １２０は、Ｍｏｄｅ＿２Ｂの記載された実施形態において、ワイヤレスＡＰ  １０５に関連付けられることも、関連付けられないこともあり得る。図１０には、１つのアクティブ・ワイヤレス・タグ２１１しか示されていないが、ワイヤレス通信システム２００は、その他の数のアクティブ・ワイヤレス・タグを含み得ることが理解される。図１０の実施形態では、（例えば、ＩＥＥＥ８０２．１１仕様に従って）ワイヤレスＡＰ  １０５が、ＤＴＩＭ  １６２を定期的に送信する。送信された各ＤＴＩＭ  １６２の後、アクティブ・ワイヤレス・タグ２１１は、アクティブ・ワイヤレス・タグ２１１に関連付けられたアドバタイズされる情報（ＡＤ＿ＩＮＦＯ）を含むアドバタイズメント・フレーム（ＡＤ＿ＦＲＡＭＥ）１６１を送信する。外部ＳＴＡ  １２０は、単に、各ＤＴＩＭ  １６２の後のある時間期間、アドバタイズメント・フレーム１６１についてリスンする。この実施形態では、外部ＳＴＡ  １２０は、先ず、ワイヤレスＡＰ  １０５と関連付けることによって、または、ワイヤレスＡＰ  １０５がＤＴＩＭ  １６２を送信するスケジュールを決定するために必要である限りリスンすることによって、ＤＴＩＭ  １６２が送信された時間を認識するようになり得る。
【００７５】
Ｍｏｄｅ＿２Ｃ 
[0085]以下でＭｏｄｅ＿２Ｃと呼ぶ、第２のモード（Ｍｏｄｅ＿２）の第３のバリエーションでは、アクティブ・ワイヤレス・タグの各々が、ネゴシエートされたスケジュールを通じてワイヤレスＡＰと一致した特定の時間において、対応するアドバタイズメント・フレームを送信する。
【００７６】
[0086]図１１は、Ｍｏｄｅ＿２Ｃによる、ワイヤレスＡＰ  １０５と、関連付けられたアクティブ・ワイヤレス・タグ２１１とを含む、確立されたワイヤレス通信システム１１００への外部ＳＴＡ  １２０への導入を例示するブロック図である。ワイヤレスＡＰ  １０５およびアクティブ・タグ２１１は、先ず、スケジュール２０６をネゴシエートし、これは、アクティブ・タグ２１１がワイヤレスＡＰ  １０５にアドバタイズメント・フレーム（アドバタイズされる情報（ＡＤ＿ＩＮＦＯ）を含む）を送信することになる特定の時間を指定する。ワイヤレスＡＰ  １０５は、内部メモリにこのスケジュール２０６を記憶する。
【００７７】
[0087]外部ＳＴＡ  １２０は、先ず、例えば、ＩＥＥＥ８０２．１１仕様（またはその拡張）によって定義された関連付け処理を用いて、ワイヤレスＡＰ  １０５と関連する。外部ＳＴＡ  １２０は、その後、スケジュール要求（Ｓ＿ＲＥＱ）１６５をワイヤレスＡＰ  １０５に送信し、ここで、このスケジュール要求１６５は、ワイヤレスＡＰ  １０５に対して、外部ＳＴＡ  １２０にスケジュール２０６を提供するように指示する。これに応答して、ワイヤレスＡＰ  １０５は、スケジュール応答（Ｓ＿ＲＥＳ）１６６の形態で、スケジュール２０６を外部ＳＴＡ  １２０に送信する。その結果、外部ＳＴＡ  １２０は、アクティブ・ワイヤレス・タグ２１１（およびその他任意の関連付けられたアクティブ・ワイヤレス・タグ）がアドバタイズメント・フレーム１６７（アドバタイズされる情報ＡＤ＿ＩＮＦＯを含む）を送信することになる時間を通知される。外部ＳＴＡ  １２０は単に、その後、ネゴシエートされたスケジュール２０６によって指定された時間においてウェイクアップし、アクティブ・タグ２１１（および／または、スケジュール２０６によって指定された関心のあるその他任意のアクティブ・タグ）からアドバタイズメント・フレーム１６７を受信するためにリスンする。
【００７８】
Ｍｏｄｅ＿３ 
[0088]ここで、第３のモード（Ｍｏｄｅ＿３）についで、より詳細に説明する。Ｍｏｄｅ＿３では、システムのパッシブ・ワイヤレス・タグが、ワイヤレスＡＰに関連付けられていない。
【００７９】
Ｍｏｄｅ＿３Ａ 
[0089]以下でＭｏｄｅ＿３Ａと呼ぶ、第３のモード（Ｍｏｄｅ＿３）の第１のバリエーションでは、１つまたは複数のパッシブ・ワイヤレス・タグが、既知のデューティ・サイクルでアウェイクされる。
【００８０】
[0090]図１２は、１つまたは複数のパッシブ・ワイヤレス・タグ（パッシブ・ワイヤレス・タグ１１１を含む）を含むワイヤレス通信システム１２００への外部ＳＴＡ  １２０の導入を例示するブロック図である。パッシブ・タグ１１１は、外部ＳＴＡ  １２０のような他のワイヤレス・デバイスからアドバタイジング情報要求を受信するために、所定のデューティ・サイクルＤ１で定期的にウェイクアップする。外部ＳＴＡ  １２０は、（例えば、対応する仕様または規格によって）パッシブ・ワイヤレス・タグ１１１のデューティ・サイクルＤ１を認識し、それに応答して、これらＡＤ＿ＩＮＦＯ要求１７１のうちの少なくとも１つが、（既知のデューティ・サイクルＤ１を考慮して）パッシブ・ワイヤレス・タグ１１１によって受信されたことを保証する方式で、一連のアドバタイジング情報要求（ＡＤ＿ＩＮＦＯ要求）１７１を送信する。ＡＤ＿ＩＮＦＯ要求１７１のうちの１つを受信すると、パッシブ・タグ１１１は、アドバタイズメント・フレーム１７２（要求されたＡＤ＿ＩＮＦＯを含む）を外部ＳＴＡ  １２０に送信する。
【００８１】
Ｍｏｄｅ＿３Ｂ 
[0091]以下でＭｏｄｅ＿３Ｂと呼ぶ、第３のモード（Ｍｏｄｅ＿３）の第２のバリエーションでは、１つまたは複数のパッシブ・ワイヤレス・タグに、低電力ウェイクアップ回路が備えられる。
【００８２】
[0092]図１３は、各々が低電力ウェイクアップ回路を含む１つまたは複数のパッシブ・ワイヤレス・タグ（パッシブ・ワイヤレス・タグ１１１を含む）を含むワイヤレス通信システム１３００への外部ＳＴＡ  １２０の導入を例示するブロック図である。図１３に例示されるように、パッシブ・ワイヤレス・タグ１１１は、低電力ウェイクアップ回路１７５を含んでいる。外部ＳＴＡ  １２０は先ず、低電力ウェイクアップ信号１７６を送信する。この低電力ウェイクアップ信号１７６を受信すると、低電力ウェイクアップ回路１７５は、パッシブ・タグ１１１を、スリープ・モードからアウェイク・モードに遷移させる。低電力ウェイクアップ回路を有するシステム１３００におけるその他のパッシブ・ワイヤレス・タグもまた、この時に、スリープ・モードからアウェイク・モードに遷移することになることに注目されたい。外部ＳＴＡ  １２０は、その後、ＡＤ＿ＩＮＦＯ要求フレーム（ＡＤ＿ＩＮＦＯ＿ＲＥＱ）１７７を送信する。これは、アウェイクしているパッシブ・タグ１１１（ならびにウェイクアップ信号１７６によってアウェイクされたその他任意のパッシブ・タグ）によって受信される。これに応答して、パッシブ・タグ１１１は、（同じＡＤ＿ＩＮＦＯ＿ＲＥＱフレーム１７７に応答して他のパッシブ・タグによって送信されたその他のアドバタイズメント・フレームとの衝突を回避するために）ランダムな遅延を伴って、アドバタイズメント・フレーム１７８（要求されたＡＤ＿ＩＮＦＯを含む）を外部ＳＴＡ  １２０に送信する。
【００８３】
Ｍｏｄｅ＿４ 
[0093]ここで、第４のモード（Ｍｏｄｅ＿４）について、以下でより詳細に説明する。Ｍｏｄｅ＿４では、システムのアクティブ・ワイヤレス・タグは、ワイヤレスＡＰに関連付けられていない。
【００８４】
Ｍｏｄｅ＿４Ａ 
[0094]以下でＭｏｄｅ＿４Ａと呼ぶ、第４のモード（Ｍｏｄｅ＿４）の第１のバリエーションでは、１つまたは複数のアクティブ・ワイヤレス・タグが、既知のデューティ・サイクルで、発見パケット（アドバタイズされる情報ＡＤ＿ＩＮＦＯを含む）を送信する。
【００８５】
[0095]図１４は、対応するＡＤ＿ＩＮＦＯを含む一連の発見パケット１８０を送信するために、既知のデューティ・サイクルＤ２でアウェイクする、１つまたは複数のアクティブ・ワイヤレス・タグ（アクティブ・ワイヤレス・タグ２１１を含む）を含むワイヤレス通信システム１４００への外部ＳＴＡ  １２０の導入を例示するブロック図である。外部ＳＴＡ  １２０は、（例えば、対応する仕様または規格によって）システム１４００のアクティブ・ワイヤレス・タグのデューティ・サイクルＤ２を認識しており、（既知のデューティ・サイクルＤ２を考慮して、）アクティブ・タグ２１１によって送信された発見パケット１８０のうちの少なくとも１つが受信されることを保証するために選択されたインタバルでウェイクアップする。発見パケット１８０のうちの１つを受信すると、外部ＳＴＡ  １２０は、将来の発見パケット１８０がアクティブ・タグ２１１によっていつ送信されるのかを決定することができる。この情報を用いて、外部ＳＴＡ  １２０は、アクティブ・ワイヤレス・タグ２１１によって送信された将来の発見パケット１８０を受信するために（あるいは、アクティブ・ワイヤレス・タグ２１１とダイレクトに通信するために）ウェイクアップすることが可能である。
【００８６】
Ｍｏｄｅ＿４Ｂ 
[0096]以下でＭｏｄｅ＿４Ｂと呼ぶ、第４のモード（Ｍｏｄｅ＿４）の第２のバリエーションでは、１つまたは複数のアクティブ・ワイヤレス・タグに、低電力ウェイクアップ回路が備えられる。
【００８７】
[0097]図１５は、各々が低電力ウェイクアップ回路を含んでいる１つまたは複数のアクティブ・ワイヤレス・タグ（アクティブ・ワイヤレス・タグ２１１を含む）を含むワイヤレス通信システム１５００への外部ＳＴＡ  １２０の導入を例示するブロック図である。図１５によって例示されるように、アクティブ・タグ２１１は、低電力ウェイクアップ回路１８５を含んでいる。外部ＳＴＡ  １２０は先ず、低電力ウェイクアップ信号１８６を送信する。この低電力ウェイクアップ信号１８６を受信すると、低電力ウェイクアップ回路１８５は、アクティブ・タグ２１１を、スリープ・モードからアウェイク・モードに遷移させる。低電力ウェイクアップ回路を有するその他のアクティブ・タグも、この時、スリープ・モードからアウェイク・モードへと遷移することに注目されたい。アウェイクしたアクティブ・タグの各々が、ランダムな期間後に発見パケット（関連付けられたＡＤ＿ＩＮＦＯを含む）を送信し、これによって、衝突を回避する。例えば、アクティブ・タグ２１１は、ウェイクアップ信号１８６が受信されることに応答して、ランダムな遅延を伴って発見パケット１８７（関連付けられたＡＤ＿ＩＮＦＯを含む）を送信する。外部ＳＴＡ  １２０は、アクティブ・タグ２１１によって送信された発見パケット１８７を含む、送信された発見パケットの各々を受信する。発見パケット１８７を受信すると、外部ＳＴＡ  １２０は、将来の発見パケット１８７がアクティブ・ワイヤレス・タグ２１１によっていつ送信されるのかを決定することができる。この情報を用いて、外部ＳＴＡ  １２０は、アクティブ・ワイヤレス・タグ２１１によって送信された将来の発見パケット１８７を受信するために（または、そうではない場合には、アクティブ・ワイヤレス・タグ２１１とダイレクトに通信するために）ウェイクアップすることができる。
【００８８】
[0098]図１６は、本開示によるＡＰ  １０５−ａの一例を示す図１６００を示す。いくつかの実施形態では、ＡＰ  １０５−ａは、図１、２、３、４、５、６、７、８、９、１０、および／または１１のＡＰ  １０５の一例であり得る。ＡＰ  １０５−ａは、図１、２、３、４、５、６、７、８、９、１０、および／または１１に関して前述された特徴および機能のうちの少なくともいくつかを実施するように構成され得る。ＡＰ  １０５−ａは、プロセッサ１６１０、メモリ１６２０、トランシーバ１６４０、およびアンテナ１６５０を含み得る。ＡＰ  １０５−ａはまた、通信マネジャ１６３０および通信確立モジュールを含み得る。これら構成要素の各々は、１つまたは複数のバス１６１５を介して、ダイレクトまたは非ダイレクトに、互いに通信し得る。
【００８９】
[0099]メモリ１６２０はＲＡＭおよびＲＯＭを含み得る。メモリ１６２０はまた、実行されたときに、プロセッサ１６１０に、外部ワイヤレス局をワイヤレス通信システムに導入するために本明細書に記載されたさまざまな機能を実行させるように構成された命令を含むコンピュータ読取可能な、コンピュータ実行可能なソフトウェア（ＳＷ）コード１６２５をも記憶し得る。あるいは、ソフトウェア・コード１６２５は、例えば、コンパイルされ実行された場合に、プロセッサ１６１０によってダイレクトに実行可能ではないが、コンピュータに対して、本明細書に記載された機能を実行させるように構成され得る。
【００９０】
[0100]プロセッサ１６１０は、例えば、ＣＰＵ、マイクロコントローラ、ＡＳＩＣ等のようなインテリジェント・ハードウェア・デバイスを含み得る。プロセッサ１６１０は、トランシーバ１６４０および／または通信マネジャ１６３０を介して受信された情報を処理し得る。プロセッサ１６１０はまた、アンテナ１６５０を介した送信のためにトランシーバ１６４０に送られるべき情報や、通信マネジャ１６３０に送られるべき情報を処理し得る。プロセッサ１６１０は、単独でまたはＡＰ  １０５−ａの別の構成要素と連携して、ビーコン信号を送信し、ワイヤレス・システムに対して外部にある局と、少なくとも１つのワイヤレス・タグとの間の通信を確立するさまざまな態様を取り扱い得る。いくつかの実施形態では、プロセッサ１６１０は、通信確立モジュール１６３５の１つまたは複数の態様を実施し得る。
【００９１】
[0101]トランシーバ１６４０は、パケットを変調し、変調されたパケットを、送信のためにアンテナ１６５０に提供し、アンテナ１６５０から受信したパケットを復調するように構成されたモデムを含み得る。トランシーバ１６４０は、１つまたは複数の送信機１６４２、および１つまたは複数の個別の受信機１６４４として実現され得る。トランシーバ１６４０は、アンテナ１６５０を介して、１つまたは複数の関連付けられた局、および／またはタグ１１１と、双方向的に通信するように構成され得る。ＡＰ  １０５−ａは、複数のアンテナ１６５０を含み得る。ＡＰ  １０５−ａは、トランシーバ１６４０を用いて１つまたは複数のタグ（例えば、パッシブ・タグ１１１、１１２、アクティブ・タグ２１１、外部ＳＴＡ  １２０等）と通信し得る。
【００９２】
[0102]図１６のアーキテクチャによれば、ＡＰ  １０５−ａはさらに、通信管理モジュール１６３０および通信確立モジュール１６３５を含み得る。通信管理モジュール１６３０は、ＡＰ  １０５−ａと、１つまたは複数のタグと、の間の通信を確立および管理し得る。いくつかのケースでは、通信管理モジュール１６２０が、１つまたは複数のタグ（例えば、パッシブ・タグ１１１、１１２、アクティブ・タグ２１１、外部ＳＴＡ  １２０）と関連し、この関連を管理し得る。通信確立モジュール１６３５は、１つまたは複数のタグ間の通信の確立を容易にし得る。例えば、通信確立モジュール１６３５は、図１、２、３、４、５、６、７、８、９、１０、および／または１１に関して記載されているように、外部ＳＴＡ  １２０と、関連付けられたタグ（例えば、パッシブ・タグ１１１、１１２、アクティブ・タグ２１１）と、の間の通信の確立を容易にし得る。通信管理モジュール１６３０および／または通信確立モジュール１６３５は、バスまたはバス１６１５を介したＡＰ  １０５−ａの他の構成要素のいくつかまたはすべてと通信し得る。あるいは、通信マネジャ１６３０の機能が、トランシーバ１６４０の構成要素として、コンピュータ・プログラム製品として、および／または、プロセッサ１６１０の１つまたは複数のコントローラ要素として実現され得る。
【００９３】
[0103]図１７は、本開示によるタグ１７０５の一例を示す図１７００を示す。タグ１７０５は、図１、２、３、４、５、６、７、８、１２、および／または１３に記載されるようなパッシブ・タグ１１１、図１、２、３、４、５、６、７、および／または８に記載されるようなパッシブ・タグ１１２、図９、１０、１１、１４、および／または１５に記載されるようなアクティブ・タグ２１１、および／または、図１、２、３、４、５、６、７、８、９、１０、１１、１２、１３、１４、および／または１５に記載されるような外部ＳＴＡ  １２０の例であり得る。一例において、タグ１７０５（例えば、パッシブ・タグ１１１、１１２、アクティブ・タグ２１１、および／または、外部ＳＴＡ  １２０）は、ワイヤレス通信システムの一部であり得る。別の例において、タグ１７０５は、ワイヤレス通信システムに導入されていることがあり得る。タグ１７０５は、その他のさまざまな構成要素を有し得、パーソナル・コンピュータ（例えば、ラップトップ・コンピュータ、ネットブック・コンピュータ、タブレット・コンピュータ等）、セルラ電話、ＰＤＡ、デジタル・ビデオ・レコーダ（ＤＶＲ）、インターネット機器、ゲーム・コンソール、ｅリーダ等に含まれ得るか、またはそれらの一部であり得る。タグ１７０５は、モバイル動作を容易にするために、小型バッテリのような内部電源（図示せず）を有し得る。タグ１７０５は、図１−１５に関して前述された特徴および機能のうちの少なくともいくつかを実施するように構成され得る。
【００９４】
[0104]タグ１７０５は、プロセッサ１７１０、メモリ１７２０、トランシーバ１７４０、アンテナ１７５０、状態モジュール１７６０、通信管理モジュール１７３０、および発見モジュール１７３５を含み得る。これら構成要素の各々は、１つまたは複数のバス１７１５を介して、ダイレクトまたは非ダイレクトに、互いに通信し得る。
【００９５】
[0105]メモリ１７２０は、ランダム・アクセス・メモリ（ＲＡＭ）および読取専用メモリ（ＲＯＭ）を含み得る。メモリ１７２０は、実行されたときに、プロセッサ１７１０に対して、本明細書に記載されたさまざまな機能を実行させるように構成された命令を含むコンピュータ読取可能、コンピュータ実行可能なソフトウェア（ＳＷ）コード１７２５を記憶し得る。あるいは、ソフトウェア・コード１７２５は、プロセッサ１７１０によってダイレクトに実行可能ではないが、（例えば、コンパイルされ実行されたときに、）コンピュータに、本明細書に記載された機能を実行させるように構成され得る。
【００９６】
[0106]プロセッサ１７１０は、例えば、中央処理装置（ＣＰＵ）、マイクロコントローラ、ＡＳＩＣ等のようなインテリジェント・ハードウェア・デバイスを含み得る。プロセッサ１７１０は、トランシーバ６４０を介して受信された情報を処理し得る。プロセッサ１７１０は、アンテナ１７５０を介した送信のためにトランシーバ１７４０に送られるべき情報を処理し得る。プロセッサ１７１０は、単独で、または、通信管理モジュール１７３０および／または発見モジュール１７３５と連携して、ワイヤレス通信システムに局２１０を導入するさまざまな態様を取り扱い得る。
【００９７】
[0107]トランシーバ１７４０は、アクセスポイント（例えば、ワイヤ・アクセスポイント１０５）、および／または、その他のタグ（例えば、パッシブ・タグ１１１、１１２、アクティブ・タグ２１１、外部ＳＴＡ  １２０）と双方向的に通信するように構成され得る。トランシーバ１７４０は、１つまたは複数の送信機１７４２、および１つまたは複数の個別の受信機１７４４として実現され得る。トランシーバ１７４０は、ＷＬＡＮまたはＷｉ−Ｆｉ（登録商標）ネットワークとの通信をサポートし得る。トランシーバ１７４０は、パケットを変調し、変調されたパケットを、送信のためにアンテナ１７５０に提供し、アンテナ１７５０から受信したパケットを復調するように構成されたモデムを含み得る。
【００９８】
[0108]図１７のアーキテクチャによれば、タグ１７０５はさらに、通信管理モジュール１７３０、発見モジュール１７３５、および状態モジュール１７６０を含み得る。通信管理モジュール１７３０は、タグ１７０５とその他のタグとの間、および／または、タグ１７０５とＡＰ（例えばＡＰ  １０５）との間の通信を確立および管理し得る。一例において、通信管理モジュール１７３０は、タグ１７０５をＡＰに関連付け得る。発見モジュール１７３５は、タグ１７０５が、他のタグに関するアドバタイズされる情報を発見することを可能にし得るか、および／または、タグ１７０５が、他のタグに発見される（例えば、タグ１７０５に関するアドバタイズされる情報を提供する）ことを可能にし得る。例えば、発見モジュール１７３５は、図１−１５に記載されているような様々なモード（例えば、Ｍｏｄｅ＿１、Ｍｏｄｅ＿２、Ｍｏｄｅ＿３、および／または、Ｍｏｄｅ＿４）およびモードのバリエーションに従って、タグ１７０５が、ワイヤレス通信システムに導入されること、および／または、ワイヤレス通信システムに対して外部にあるタグによって発見されることを可能にし得る。発見モジュール１７３５は、タグ１７０５のその他の構成要素のうちのいくつかまたはすべてと、１つまたは複数のバス１７１５を介して通信するタグ１７０５の構成要素であり得る。あるいは、発見モジュール１７３５の機能は、トランシーバ１７４０の構成要素として、コンピュータ・プログラム製品として、および／または、プロセッサ１７１０の１つまたは複数のコントローラ要素として実現され得る。
【００９９】
[0109]状態モジュール１７６０は、現在のデバイス状態（例えば、アクティブ状態、スリープ状態）を反映および制御し得る。本明細書に記載されているように、状態モジュール１７６０は、電力を節約するために、状態間の切り換えを行い得る。いくつかのケースでは、状態モジュール１７６０は、スケジュールに基づいて、および／または、トランシーバ１７４０を介して受信された信号またはメッセージに基づいて、状態間の切り換えを行い得る。
【０１００】
[0110]図１８は、ワイヤレス通信システムにおける動作のための方法１８００の一例を示すフローチャートである。１つの構成では、方法１８００は、図１、２、３、４、５、６、７、８、９、１０、１１、および／または１６に例示されたＡＰ  １０５のようなＡＰによって実施され得る。方法１８００は、特に、図１６の通信確立モジュール１６３５によって実施され得る。
【０１０１】
[0111]ブロック１８０５では、通信が、ワイヤレス通信システムに対して外部にある局から受信され得る。一例において、局は、ワイヤレス通信システムに参加することを試み得る。例えば、局は、ワイヤレス通信システム（例えば、１つまたは複数のタグのシステム）への局の導入を容易にするためにワイヤレス・アクセスポイントを使用し得る。
【０１０２】
[0112]ブロック１８１０では、１つまたは複数のワイヤレス・タグのうちの少なくとも１つと局との間で通信が確立され得る。例えば、通信は、図１、２、３、４、５、６、７、８、９、１０、１１、１２、１３、１４、および／または１５に関して本明細書に記載されているようなモードのバリエーションを含むモード（例えばＭｏｄｅ＿１、Ｍｏｄｅ＿２、Ｍｏｄｅ＿３、Ｍｏｄｅ＿４）のうちの何れかを用いて確立され得る。
【０１０３】
[0113]したがって、方法１８００は、ワイヤレス通信システムに対して外部にある局の、通信システム内の１つまたは複数のタグへの導入を容易にし得る。方法１８００は、単なる１つの実装形態であり、方法１８００の動作は、再構成され得るか、または、他の実施が可能になるように他の何らかの形で修正され得ることに留意すべきである。
【０１０４】
[0114]図１９は、ワイヤレス通信システムにおける動作のための方法１９００の一例を示すフローチャートである。１つの構成では、方法１９００は、図１、２、３、４、５、６、７、８、９、１０、１１、および／または１６に例示されたＡＰ  １０５のようなＡＰによって実施され得る。方法１９００は、特に、図１６の通信確立モジュール１６３５によって実施され得る。
【０１０５】
[0115]ブロック１９０５では、局と少なくとも１つのタグとの間の通信を確立する前に、１つまたは複数のワイヤレス・タグの各々が、ワイヤレス・アクセスポイントに関連付けられ得る。
【０１０６】
[0116]ブロック１９１０では、通信が、ワイヤレス通信システムに対して外部にある局から受信され得る。
【０１０７】
[0117]ブロック１９１５では、１つまたは複数のワイヤレス・タグのうちの少なくとも１つと局との間で通信が確立され得る。
【０１０８】
[0118]ブロック１９２０では、少なくとも１つのワイヤレス・タグが、受信された要求に応答してのみ、アドバタイズされる情報を送信し得る。
【０１０９】
[0119]したがって、方法１９００は、ワイヤレス通信システムに対して外部にある局の、通信システム内の１つまたは複数のタグへの導入を容易にし得る。方法１９００は、単なる１つの実装形態であり、方法１９００の動作は、再構成され得るか、または、他の実施が可能になるように他の何らかの形で修正され得ることに留意すべきである。
【０１１０】
[0120]図２０は、ワイヤレス通信システムにおける動作のための方法２０００の一例を示すフローチャートである。１つの構成では、方法２０００は、図１、２、３、４、５、６、７、８、９、１０、１１、１２、１３、１４、１５、および／または１７において例示されたアクティブ・タグ２１１および／またはパッシブ・タグ１１１のようなタグによって実施され得る。方法２０００は、特に、図１７の発見モジュール１７３５によって実施され得る。
【０１１１】
[0121]ブロック２００５では、通信が、ワイヤレス・アクセスポイントから受信され得る。通信の例は、ビーコン、トラフィック・インジケーション・マップ（ＴＩＰ）、デリバリー・トラフィック・インジケーション・メッセージ（ＤＴＩＭ）、関連付けメッセージ、ウェイクアップ・ユニット要求、アドバタイズされる情報要求等を含む。
【０１１２】
[0122]ブロック２０１０では、タグに関するアドバタイズされる情報が、局にダイレクトに送信され得る。例えば、タグに関するアドバタイズされる情報は、図１、２、３、４、５、６、７、８、９、１０、１１、１２、１３、１４、および／または１５に関して本明細書に記載されているようなモードのバリエーションを含むモード（例えば、Ｍｏｄｅ＿１、Ｍｏｄｅ＿２、Ｍｏｄｅ＿３、Ｍｏｄｅ＿４）の何れかを用いて局にダイレクトに送信され得る。
【０１１３】
[0123]したがって、方法２０００は、確立されたワイヤレス通信システムに外部局（例えば、ＳＴＡ  １２０）が導入されることを可能にし得る。方法２０００は、単なる１つの実装形態であり、方法２０００の動作は、再構成され得るか、または、他の実施が可能になるように他の何らかの形で修正され得ることに留意すべきである。
【０１１４】
[0124]図２１は、ワイヤレス通信システムにおける動作のための方法２１００の一例を示すフローチャートである。１つの構成では、方法２１００は、図１、２、３、４、５、６、７、８、９、１０、１１、１２、１３、１４、１５、および／または１７において例示されたアクティブ・タグ２１１および／またはパッシブ・タグ１１１のようなタグによって実施され得る。方法２０００は、特に、図１７の発見モジュール１７３５によって実施され得る。
【０１１５】
[0125]ブロック２１０５では、通信が、ワイヤレス・アクセスポイントから受信され得る。
【０１１６】
[0126]ブロック２１１０では、この通信の受信に続いて、アクティブ状態が維持され得る。
【０１１７】
[0127]ブロック２１１５では、アクティブ状態中に、ワイヤレス通信システムに対して外部にある局からの要求が、受信され得る。
【０１１８】
[0128]ブロック２１２０では、この要求に応答して、タグに関するアドバタイズされる情報が、局にダイレクトに送信され得る。
【０１１９】
[0129]したがって、方法２１００は、確立されたワイヤレス通信システムに外部局（例えば、ＳＴＡ  １２０）が導入されることを可能にし得る。方法２１００は、単なる１つの実施であり、方法２１００の動作は、再構成され得るか、または、他の実施が可能になるように他の何らかの形で修正され得ることに留意すべきである。
【０１２０】
[0130]図２２は、１つまたは複数のワイヤレス・タグを含むワイヤレス通信システムに導入されるための方法２２００の一例を示すフローチャートである。１つの構成では、方法２２００は、図１、２、３、４、５、６、７、８、９、１０、１１、１２、１３、１４、１５、および／または１７に例示されたような外部ＳＴＡ  １２０のようなタグによって実施され得る。方法２２００は、特に、図１７の発見モジュール１７３５によって実施され得る。
【０１２１】
[0131]ブロック２２０５では、ワイヤレス通信システムに対して外部にある局が、ワイヤレス・アクセスポイントに通信を送信し得る。この局は、ワイヤレス・アクセスポイントに関連付けられることも、関連付けられないこともあり得る。
【０１２２】
[0132]ブロック２１１０では、この局は、少なくとも１つのワイヤレス・タグから少なくとも１つのワイヤレス・タグに関する情報をダイレクトに受信し得る。この局は、ワイヤレス・アクセスポイントからのビーコンに応答して、アドバタイズされる情報を受信し得る。
【０１２３】
[0133]したがって、方法１８００、１９００、２０００、２１００および２２００は、ワイヤレス通信のための動作を提供し得る。いくつかの事例では、方法１８００、１９００、２０００、２１００、および２２００のうちの２つ以上の動作が、他の実装形態を生み出すために結合され得る。
【０１２４】
[0134]当業者であれば、情報および信号は、さまざまな異なる技術および技法のうちの何れかを用いて表され得ることを理解するであろう。例えば、上記説明を通じて参照され得るデータ、命令群、コマンド、情報、信号、ビット、シンボル、およびチップは、電圧、電流、電磁波、磁場または磁性粒子、光学場または光学粒子、あるいはこれらの任意の組み合わせによって表現され得る。
【０１２５】
[0135]当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途の各々に応答して変化する方式で、前述した機能を実現し得る。しかしながら、この適用判断は、本発明の範囲からの逸脱をもたらすものと解釈されるべきではない。
【０１２６】
[0136]本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施され得る。汎用プロセッサは、マイクロプロセッサであり得るが、代替例では、このプロセッサは、従来のプロセッサ、コントローラ、マイクロコントローラ、または順序回路であり得る。プロセッサは、例えばＤＳＰとマイクロプロセッサとの組み合わせ、複数のマイクロプロセッサ、ＤＳＰコアと連携する１つまたは複数のマイクロプロセッサ、またはその他任意のこのような構成であるコンピューティング・デバイスの組み合わせとして実現され得る。
【０１２７】
[0137]本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化され得る。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、レジスタ、ハード・ディスク、リムーバブル・ディスク、ＣＤ−ＲＯＭ、あるいは当該技術分野で知られているその他の型式の記憶媒体に存在し得る。典型的な記憶媒体は、プロセッサが記憶媒体から情報を読み取り、また記憶媒体に情報を書き込むことができるようにプロセッサに結合される。あるいは、この記憶媒体は、プロセッサに統合され得る。このプロセッサと記憶媒体とは、ＡＳＩＣ内に存在し得る。ＡＳＩＣは、ユーザ端末内に存在し得る。あるいは、プロセッサおよび記憶媒体は、ユーザ端末内のディスクリートな構成要素として存在し得る。
【０１２８】
[0138]１または複数の典型的な実施形態では、記載された機能は、ハードウェア、ソフトウェア、ファームウェア、あるいはそれらの任意の組み合わせによって実現され得る。ソフトウェアで実現される場合、これら機能は、コンピュータ読取可能な媒体上に格納されるか、あるいは、コンピュータ読取可能な媒体上の１つまたは複数の命令群またはコードとして送信され得る。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされ得る利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされ得るその他任意の媒体を備え得る。さらに、あらゆる接続が、コンピュータ読取可能な媒体と適切に呼ばれる。同軸ケーブル、光ファイバ・ケーブル、対より線、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、対より線、ＤＳＬ、あるいは、例えば赤外線、無線およびマイクロ波のような無線技術が、媒体の定義に含まれる。本明細書において使用されるようなｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−Ｒａｙディスク（ｄｉｓｃ）を含んでおり、ｄｉｓｋは通常、データを磁気的に再生し、ｄｉｓｃはレーザを用いてデータを光学的に再生する。上記の組み合わせもまた、コンピュータ読取可能な媒体の範囲内に含まれるべきである。
【０１２９】
[0139]開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用され得る。このように、本開示は、本明細書で示された実施形態に限定されるものではなく、本明細書で開示された原理および新規な特徴と矛盾しない最も広い範囲に相当することが意図されている。
【図１】
2016517660.tif 000003
【図２】
2016517660.tif 000004
【図３】
2016517660.tif 000005
【図４】
2016517660.tif 000006
【図５】
2016517660.tif 000007
【図６】
2016517660.tif 000008
【図７】
2016517660.tif 000009
【図８】
2016517660.tif 000010
【図９】
2016517660.tif 000011
【図１０】
2016517660.tif 000012
【図１１】
2016517660.tif 000013
【図１２】
2016517660.tif 000014
【図１３】
2016517660.tif 000015
【図１４】
2016517660.tif 000016
【図１５】
2016517660.tif 000017
【図１６】
2016517660.tif 000018
【図１７】
2016517660.tif 000019
【図１８】
2016517660.tif 000020
【図１９】
2016517660.tif 000021
【図２０】
2016517660.tif 000022
【図２１】
2016517660.tif 000023
【図２２】
2016517660.tif 000024
【国際調査報告】
2016517660.tif 000025
2016517660.tif 000026
2016517660.tif 000027
2016517660.tif 000028
2016517660.tif 000029